(57)【特許請求の範囲】
【請求項１】
複数の無線装置と、
前記複数の無線装置の上位層に配置された複数の第１の通信装置と、
前記複数の第１の通信装置の上位層に配置された複数の第２の通信装置と、
前記複数の第２の通信装置の上位層に配置された第３の通信装置とを備え、
前記複数の第１の通信装置の各々は、前記複数の無線装置の各々と複数の無線通信方式のうちの少なくとも１つの無線通信方式を用いて２以上の回線により無線通信を行なうとともに、前記複数の第２の通信装置のうち、自己が接続された１個の第２の通信装置と通信を行ない、
前記複数の第２の通信装置の各々は、前記複数の第１の通信装置のうち、自己が接続された少なくとも１個の第１の通信装置と通信を行なうとともに、前記第３の通信装置と通信を行ない、
前記第３の通信装置は、前記複数の第２の通信装置のうち、自己が接続された少なくとも１個の第２の通信装置を行なうとともに、他のネットワークと通信を行ない、
前記複数の無線装置の各々は、周囲の電波環境に応じて前記複数の無線通信方式のうちの少なくとも１つの無線通信方式を選択し、その選択した少なくとも１つの無線通信方式を用いて２以上の回線によりアプリケーションの要求事項を満たすように前記複数の第１の通信装置のうちの少なくとも１つの第１の通信装置と無線通信を行なう、通信ネットワークシステム。
【請求項２】
前記複数の第１の通信装置の各々は、前記複数の無線装置のうちのｉ（ｉは正の整数）個の無線装置からパケットを受信すると、前記ｉ個の無線装置のｉ個のローカルアドレスを自己と前記第２の通信装置との間で使用される１個の第１のグローバルアドレスに対応付けて前記パケットを前記第２の通信装置へ送信し、
前記複数の第２の通信装置の各々は、前記複数の第１の通信装置のうちのｊ（ｊは正の整数）個の第１の通信装置からパケットを受けると、前記ｊ個の第１の通信装置のｊ個の第１のグローバルアドレスを自己と前記第３の通信装置との間で使用される１個の第２のグローバルアドレスに対応付けて前記パケットを前記第３の通信装置へ送信し、
前記第３の通信装置は、前記複数の第２の通信装置のうちのｋ（ｋは正の整数）個の第２の通信装置からパケットを受けると、前記ｋ個の第２の通信装置のｋ個の第２のグローバルアドレスを自己と前記他のネットワークとの間で使用される１個の第３のグローバルアドレスに対応付けて前記パケットを前記他のネットワークへ送信する、請求項１に記載の通信ネットワークシステム。
【請求項３】
前記複数の無線装置の各々は、
各々が異なる無線通信方式で無線通信を行なう複数の第１の無線通信部と、
当該無線装置の周囲の電波環境に関する情報である電波環境情報を保持する第１の情報保持部と、
前記第１の情報保持部に保持された電波環境情報に応じた無線通信を行なうための少なくとも１つの第１の無線通信部を前記複数の第１の無線通信部から選択する第１の選択部と、
パケットを生成するアプリケーション部と、
前記アプリケーション部から受けた複数のパケットを前記選択された少なくとも１つの第１の無線通信部に分配するとともに、前記少なくとも１つの第１の無線通信部から受けた複数のパケットを所定の順序に配列して前記アプリケーション部へ出力する第１の切換部とを含み、
前記複数の第１の通信装置の各々は、
前記複数の第１の無線通信部に対応して設けられ、各々が対応する第１の無線通信部と無線通信を行なう複数の第２の無線通信部と、
前記電波環境情報を保持する第２の情報保持部と、
前記第２の情報保持部に保持された電波環境情報に応じた無線通信を行なうための少なくとも１つの第２の無線通信部を前記複数の第２の無線通信部から選択する第２の選択部と、
前記複数の第２の無線通信部から受けた複数のパケットを所定の順序に配列して自己が接続された第２の通信装置へ送信するとともに、自己が接続された第２の通信装置から受けた複数のパケットを前記選択された少なくとも１つの第２の無線通信部へ分配する第２の切換部とを含み、
前記複数の第２の通信装置の各々は、
前記電波環境情報を保持する第３の情報保持部と、
前記第３の情報保持部に保持された電波環境情報に応じた無線通信を行なうことが可能な第２の無線通信部を前記複数の第２の無線通信部から選択する第３の選択部と、
当該第２の通信装置が接続された第１の通信装置から受けた複数のパケットを所定の順序に配列して前記第３の通信装置へ送信するとともに、前記第３の通信装置から受けた複数のパケットを前記第３の選択部によって選択された第２の無線通信部を有する第１の通信装置に分配する第３の切換部とを含み、
前記第３の通信装置は、
前記電波環境情報を保持する第４の情報保持部と、
前記第４の情報保持部に保持された電波環境情報に応じた無線通信を行なうことが可能な第２の無線通信部を前記複数の第２の無線通信部から選択する第４の選択部と、
当該第３の通信装置が接続された第２の通信装置から受けた複数のパケットを所定の順序に配列して前記他のネットワークへ送信するとともに、前記他のネットワークから受けた複数のパケットを前記第４の選択部によって選択された第２の無線通信部を有する第１の通信装置と接続された第２の通信装置に分配する第４の切換部とを含む、請求項１に記載の通信ネットワークシステム。
【請求項４】
前記第１から第４の選択部は、相互に連携して前記第１の無線通信部、および前記第２の無線通信部を選択する、請求項３に記載の通信ネットワークシステム。
【請求項５】
前記複数の第１の無線通信部は、当該無線装置の周囲の電波環境を測定し、
前記第１の情報保持部は、前記複数の第１の無線通信部によって測定された電波環境を示す電波環境情報を保持し、
前記複数の第２の無線通信部は、当該第１の通信装置の周囲の電波環境を測定し、
前記第２の情報保持部は、前記複数の第２の無線通信部によって測定された電波環境を示す電波環境情報を保持し、
前記第３および第４の情報保持部の各々は、前記複数の第１の無線通信部および／または前記複数の第２の無線通信部によって測定された電波環境を示す電波環境情報を保持する、請求項３または請求項４に記載の通信ネットワークシステム。
【請求項６】
前記第１および第２の情報保持部の各々は、前記複数の第１の無線通信部によって測定された電波環境を示す電波環境情報と、前記複数の第２の無線通信部によって測定された電波環境を示す電波環境情報とを保持する、請求項５に記載の通信ネットワークシステム。
【請求項７】
前記第２の情報保持部は、当該第１の通信装置と無線通信を行なう無線装置のローカルアドレスと、前記無線通信における無線通信特性とを更に保持し、
前記第３の情報保持部は、当該第２の通信装置に接続された第１の通信装置の第１のグローバルアドレスと、当該第２の通信装置に接続された第１の通信装置と無線通信を行なう無線装置のローカルアドレスと、前記無線通信における無線通信特性とを更に保持し、
前記第４の情報保持部は、当該第３の通信装置に接続された第２の通信装置の第２のグローバルアドレスと、当該第３の通信装置に接続された第２の通信装置と通信を行なう第１の通信装置の第１のグローバルアドレスと、当該第３の通信装置に接続された第２の通信装置と通信を行なう第１の通信装置と無線通信を行なう無線装置のローカルアドレスと、前記無線通信における無線通信特性とを更に保持し、
前記第２の選択部は、前記第２の情報保持部に保持された前記電波環境情報、前記ローカルアドレスおよび前記無線通信特性に基づいて、前記少なくとも１つの第２の無線通信部を選択し、
前記第３の選択部は、前記第３の情報保持部に保持された前記電波環境情報、前記第１のグローバルアドレスおよび前記無線通信特性に基づいて、前記第１の通信装置を選択し、
前記第４の選択部は、前記第４の情報保持部に保持された前記電波環境情報、前記第２のグローバルアドレスおよび前記無線通信特性に基づいて、前記第１の通信装置を選択する、請求項３または請求項４に記載の通信ネットワークシステム。
【発明の詳細な説明】
【技術分野】
【０００１】
この発明は、通信ネットワークシステムに関し、特に、コグニティブな通信を行なう通信ネットワークシステムに関するものである。
【背景技術】
【０００２】
従来、コグニティブ無線を利用した通信システムが提案されている（非特許文献１）。そして、非特許文献１において、コグニティブ無線は、「無線機が周囲の電波利用環境を認識し、その状況に応じて無線機が適宜学習等を取り入れつつ、ネットワーク側の協力を得ながらシステム内、システム間を問わず複数の周波数帯域、タイムスロット、等の無線リソースならびに通信方式を適宜使い分け、ユーザの所望の通信容量を所望の通信品質で周波数の有効利用をはかりつつ伝送を行う無線通信技術」と定義されている。
【０００３】
非特許文献１には、クラスＡ，Ｂ，Ｃからなるコグニティブ無線を利用した通信システムが提案されている。その、クラスＡ，Ｂ，Ｃは、コグニティブ無線に用いる無線機の機能レベルを示したものである。
【０００４】
クラスＡは、８００ＭＨｚ未満の周波数帯を用いる広域移動通信システム、８００ＭＨｚ帯から３ＧＨｚ帯までの携帯電話システムに代表される中域セルラシステム、並びに、３〜６ＧＨｚ帯までの無線ＬＡＮシステムおよびワイヤレスアクセスシステムまで全ての無線システムの機能を有する無線機を示す。また、クラスＢは、中域セルラシステム並びに無線ＬＡＮシステムおよびワイヤレスアクセスシステムの機能を有する無線機を示す。更に、クラスＣは、無線ＬＡＮシステムおよびワイヤレスアクセスシステムの機能を有する無線機を示す。
【０００５】
コグニティブ無線を利用した通信システムは、共通ネットワークと、複数のクラスＡゾーンと、複数のクラスＢゾーンと、複数のクラスＣゾーンとからなる。複数のクラスＡゾーンは、共通ネットワークに並列に接続される。複数のクラスＡゾーンの各々は、１つの基地局に並列に接続された複数のクラスＢゾーンからなる。複数のクラスＢゾーンの各々は、１つの基地局に並列に接続された複数のクラスＣゾーンからなる。
【０００６】
複数のクラスＡゾーンの各々には、クラスＡの無線機が配置され、複数のクラスＢゾーンの各々には、クラスＢの無線機が配置され、複数のクラスＣゾーンの各々には、クラスＣの無線機が配置される。
【０００７】
従って、この通信システムにおいては、クラスＣゾーンに属する無線機は、クラスＢゾーンおよびクラスＡゾーンを介して１つの回線によって共通ネットワークに接続される。
【非特許文献１】原田博司，“コグニティブ無線を利用した通信システムに関する基礎検討”，信学技報  ＩＥＩＣＥ  Ｔｅｃｈｎｉｃａｌ  Ｒｅｐｏｒｔ  ＳＲ２００５−１８（２００５−５）．
【発明の開示】
【発明が解決しようとする課題】
【０００８】
しかし、非特許文献１には、コグニティブ無線による通信を実現する具体例が開示されていない。
【０００９】
また、従来のコグニティブ無線を利用した通信システムでは、無線機は、１つの回線によって共通ネットワークに接続されるので、無線リソースの有効利用が不十分であるという問題がある。
【００１０】
そこで、この発明は、かかる問題を解決するためになされたものであり、その目的は、コグニティブ無線を実現可能な通信ネットワークシステムを提供することである。
【００１１】
また、この発明の別の目的は、無線リソースを十分に利用してコグニティブ無線による通信を行なう通信ネットワークシステムを提供することである。
【課題を解決するための手段】
【００１２】
この発明によれば、通信ネットワークシステムは、複数の無線装置と、複数の第１の通信装置と、複数の第２の通信装置と、第３の通信装置とを備える。複数の第１の通信装置は、複数の無線装置の上位層に配置される。複数の第２の通信装置は、複数の第１の通信装置の上位層に配置される。第３の通信装置は、複数の第２の通信装置の上位層に配置される。そして、複数の第１の通信装置の各々は、複数の無線装置の各々と複数の無線通信方式のうちの少なくとも１つの無線通信方式を用いて２以上の回線により無線通信を行なうとともに、複数の第２の通信装置のうち、自己が接続された１個の第２の通信装置と通信を行なう。複数の第２の通信装置の各々は、複数の第１の通信装置のうち、自己が接続された少なくとも１個の第１の通信装置と通信を行なうとともに、第３の通信装置と通信を行なう。第３の通信装置は、複数の第２の通信装置のうち、自己が接続された少なくとも１個の第２の通信装置を行なうとともに、他のネットワークと通信を行なう。複数の無線装置の各々は、周囲の電波環境に応じて複数の無線通信方式のうちの少なくとも１つの無線通信方式を選択し、その選択した少なくとも１つの無線通信方式を用いて２以上の回線によりアプリケーションの要求事項を満たすように複数の第１の通信装置のうちの少なくとも１つの第１の通信装置と無線通信を行なう。
【００１３】
好ましくは、複数の第１の通信装置の各々は、複数の無線装置のうちのｉ（ｉは２以上の整数）個の無線装置からパケットを受信すると、ｉ個の無線装置のｉ個のローカルアドレスを自己と第２の通信装置との間で使用される１個の第１のグローバルアドレスに対応付けてパケットを第２の通信装置へ送信する。複数の第２の通信装置の各々は、複数の第１の通信装置のうちのｊ（ｊは正の整数）個の第１の通信装置からパケットを受けると、ｊ個の第１の通信装置のｊ個の第１のグローバルアドレスを自己と第３の通信装置との間で使用される１個の第２のグローバルアドレスに対応付けてパケットを第３の通信装置へ送信する。第３の通信装置は、複数の第２の通信装置のうちのｋ（ｋは正の整数）個の第２の通信装置からパケットを受けると、ｋ個の第２の通信装置のｋ個の第２のグローバルアドレスを自己と他のネットワークとの間で使用される１個の第３のグローバルアドレスに対応付けてパケットを他のネットワークへ送信する。
【００１４】
好ましくは、複数の無線装置の各々は、複数の第１の無線通信部と、第１の情報保持部と、第１の選択部と、アプリケーション部と、第１の切換部とを含む。複数の第１の無線通信部は、相互に異なる無線通信方式で無線通信を行なう。第１の情報保持部は、当該無線装置の周囲の電波環境に関する情報である電波環境情報を保持する。第１の選択部は、第１の情報保持部に保持された電波環境情報に応じた無線通信を行なうための少なくとも１つの第１の無線通信部を複数の第１の無線通信部から選択する。アプリケーション部は、パケットを生成する。第１の切換部は、アプリケーション部から受けた複数のパケットを選択された少なくとも１つの第１の無線通信部に分配するとともに、少なくとも１つの第１の無線通信部から受けた複数のパケットを所定の順序に配列してアプリケーション部へ出力する。複数の第１の通信装置の各々は、複数の第２の無線通信部と、第２の情報保持部と、第２の選択部と、第２の切換部とを含む。複数の第２の無線通信部は、複数の第１の無線通信部に対応して設けられ、各々が対応する第１の無線通信部と無線通信を行なう。第２の情報保持部は、電波環境情報を保持する。第２の選択部は、第２の情報保持部に保持された電波環境情報に応じた無線通信を行なうための少なくとも１つの第２の無線通信部を複数の第２の無線通信部から選択する。第２の切換部は、複数の第２の無線通信部から受けた複数のパケットを所定の順序に配列して自己が接続された第２の通信装置へ送信するとともに、自己が接続された第２の通信装置から受けた複数のパケットを選択された少なくとも１つの第２の無線通信部へ分配する。複数の第２の通信装置の各々は、第３の情報保持部と、第３の選択部と、第３の切換部とを含む。第３の情報保持部は、電波環境情報を保持する。第３の選択部は、第３の情報保持部に保持された電波環境情報に応じた無線通信を行なうことが可能な第１の通信装置を複数の第１の無線通信部から選択する。第３の切換部は、当該第２の通信装置が接続された第１の通信装置から受けた複数のパケットを所定の順序に配列して第３の通信装置へ送信するとともに、第３の通信装置から受けた複数のパケットを選択された第１の通信装置に分配する。第３の通信装置は、第４の情報保持部と、第３の選択部と、第４の切換部とを含む。第４の情報保持部は、電波環境情報を保持する。第４の選択部は、第４の情報保持部に保持された電波環境情報に応じた無線通信を行なうことが可能な第１の通信装置を複数の第１の通信装置から選択する。第４の切換部は、当該第３の通信装置が接続された第２の通信装置から受けた複数のパケットを所定の順序に配列して他のネットワークへ送信するとともに、他のネットワークから受けた複数のパケットを選択された第１の通信装置と接続された第２の通信装置に分配する。
【００１５】
好ましくは、第１から第４の選択部は、相互に連携して第１の無線通信部、第２の無線通信部および第１の通信装置を選択する。
【００１６】
好ましくは、複数の第１の無線通信部は、当該無線装置の周囲の電波環境を測定する。第１の情報保持部は、複数の第１の無線通信部によって測定された電波環境を示す電波環境情報を保持する。複数の第２の無線通信部は、当該第１の通信装置の周囲の電波環境を測定する。第２の情報保持部は、複数の第２の無線通信部によって測定された電波環境を示す電波環境情報を保持する。第３および第４の情報保持部の各々は、複数の第１の無線通信部および／または複数の第２の無線通信部によって測定された電波環境を示す電波環境情報を保持する。
【００１７】
好ましくは、第１および第２の情報保持部の各々は、複数の第１の無線通信部によって測定された電波環境を示す電波環境情報と、複数の第２の無線通信部によって測定された電波環境を示す電波環境情報とを保持する。
【００１８】
好ましくは、第２の情報保持部は、当該第１の通信装置と無線通信を行なう無線装置のローカルアドレスと、無線通信における無線通信特性とを更に保持する。第３の情報保持部は、当該第２の通信装置に接続された第１の通信装置の第１のグローバルアドレスと、当該第２の通信装置に接続された第１の通信装置と無線通信を行なう無線装置のローカルアドレスと、無線通信における無線通信特性とを更に保持する。第４の情報保持部は、当該第３の通信装置に接続された第２の通信装置の第２のグローバルアドレスと、当該第３の通信装置に接続された第２の通信装置と通信を行なう第１の通信装置の第１のグローバルアドレスと、当該第３の通信装置に接続された第２の通信装置と通信を行なう第１の通信装置と無線通信を行なう無線装置のローカルアドレスと、無線通信における無線通信特性とを更に保持する。第２の選択部は、第２の情報保持部に保持された電波環境情報、ローカルアドレスおよび無線通信特性に基づいて、少なくとも１つの第２の無線通信部を選択する。第３の選択部は、第３の情報保持部に保持された電波環境情報、第１のグローバルアドレスおよび無線通信特性に基づいて、第１の通信装置を選択する。第４の選択部は、第４の情報保持部に保持された電波環境情報、第２のグローバルアドレスおよび無線通信特性に基づいて、第１の通信装置を選択する。
【発明の効果】
【００１９】
この発明による通信ネットワークシステムにおいては、複数の無線装置の各々は、周囲の電波環境に応じて少なくとも１つの無線通信方式を選択し、その選択した少なくとも１つの無線通信方式を用いて２以上の回線によりアプリケーションの要求事項を満たすように無線通信を行なう。そして、第１の通信装置は、各無線装置からの無線通信を第２の通信装置へ中継し、第２の通信装置は、第１の通信装置からの通信を第３の通信装置へ中継し、第３の通信装置は、第２の通信装置からの通信を他のネットワークへ中継する。また、第３の通信装置は、他のネットワークからの通信を上記２以上の回線により無線通信を行なう無線装置と無線通信が可能な第１の通信装置に接続された第２の通信装置へ中継し、第２の通信装置は、第３の通信装置からの通信を上記２以上の回線により無線通信を行なう無線装置と無線通信が可能な第１の通信装置へ中継し、第１の通信装置は、第２の通信装置からの通信を上記２以上の回線により無線装置へ中継する。即ち、複数の無線装置の各々は、第１の通信装置、第２の通信装置および第３の通信装置を介して他のネットワークと２以上の回線で通信を行なう。
【００２０】
従って、この発明によれば、無線リソースを十分に利用してコグニティブ無線を行なうことができる。
【発明を実施するための最良の形態】
【００２１】
本発明の実施の形態について図面を参照しながら詳細に説明する。なお、図中同一または相当部分には同一符号を付してその説明は繰返さない。
【００２２】
図１は、この発明の実施の形態による通信ネットワークシステムの概略図である。この発明の実施の形態による通信ネットワークシステム１００は、コグニティブ端末ＣＡＴ（Ｃｏｇｎｉｔｉｖｅ  Ａｃｃｅｓｓ  Ｔｅｒｍｉｎａｌ）１，ＣＡＴ２，・・・と、コグニティブ基地局ＣＢＳ（Ｃｏｇｎｉｔｉｖｅ  Ｂａｓｅ  Ｓｔａｔｉｏｎ）１およびコグニティブアクセスポイントＣＡＰ（Ｃｏｇｎｉｔｉｖｅ  Ａｃｃｅｓｓ  Ｐｏｉｎｔ）１，・・・と、コグニティブゲートウェイＣＧＷ（Ｃｏｇｎｉｔｉｖｅ  Ｇａｔｅ  Ｗａｙ）１，ＣＧＷ２，・・・と、グローバルホームレジスタＧＨＲ１と、ケーブル１１０，１２０，１３０，１４０，１５０とを備える。
【００２３】
複数のコグニティブ端末ＣＡＴ１，ＣＡＴ２，・・・は、最下層に配置される。複数のコグニティブ基地局ＣＢＳ１およびコグニティブアクセスポイントＣＡＰ１，・・・は、複数のコグニティブ端末ＣＡＴ１，ＣＡＴ２，・・・の上位層に配置される。そして、コグニティブ基地局ＣＢＳ１は、ＩＰドメイン１内に配置され、コグニティブアクセスポイントＣＡＰ１は、ＩＰドメイン２内に配置される。
【００２４】
複数のコグニティブゲートウェイＣＧＷ１，ＣＧＷ２，・・・は、複数のコグニティブ基地局ＣＢＳ１およびコグニティブアクセスポイントＣＡＰ１，・・・よりも上位層に配置される。グローバルホームレジスタＧＨＲ１は、複数のコグニティブゲートウェイＣＧＷ１，ＣＧＷ２，・・・よりも上位層に配置される。
【００２５】
このように、通信ネットワークシステム１００においては、複数のコグニティブ端末ＣＡＴ１，ＣＡＴ２，・・・、複数のコグニティブ基地局ＣＢＳ１およびコグニティブアクセスポイントＣＡＰ１，・・・、複数のコグニティブゲートウェイＣＧＷ１，ＣＧＷ２，・・・、およびグローバルホームレジスタＧＨＲ１は、階層的に配置される。そして、コグニティブ基地局ＣＢＳ１、コグニティブアクセスポイントＣＡＰ１、およびコグニティブゲートウェイＣＧＷ１，ＣＧＷ２は、プロバイダを構成する。また、コグニティブ端末ＣＡＴ１，ＣＡＴ２が配置された層を「端末層」とし、コグニティブ基地局ＣＢＳ１およびコグニティブアクセスポイントＣＡＰ１が配置された層を「基地局／アクセスポイント層」とし、コグニティブゲートウェイＣＧＷ１，ＣＧＷ２が配置された層を「ゲートウェイ層」とし、グローバルホームレジスタＧＨＲ１が配置された層を「ホームレジスタ層」とする。
【００２６】
コグニティブ基地局ＣＢＳ１は、ケーブル１１０によってコグニティブゲートウェイＣＧＷ１に接続される。コグニティブアクセスポイントＣＡＰ１は、ケーブル１２０によってコグニティブゲートウェイＣＧＷ１に接続される。
【００２７】
コグニティブゲートウェイＣＧＷ１は、ケーブル１３０によってグローバルホームレジスタＧＨＲ１に接続される。コグニティブゲートウェイＣＧＷ２は、ケーブル１４０によってグローバルホームレジスタＧＨＲ１に接続される。グローバルホームレジスタＧＨＲ１は、ケーブル１５０によって他のネットワーク２００と接続される。
【００２８】
コグニティブ端末ＣＡＴ１は、コグニティブ基地局ＣＢＳ１およびコグニティブアクセスポイントＣＡＰ１と複数の無線通信方式のうちの少なくとも１つの無線通信方式を用いて２以上の回線によって無線通信を行なう。また、コグニティブ端末ＣＡＴ２は、コグニティブ基地局ＣＢＳ１およびコグニティブアクセスポイントＣＡＰ１以外のコグニティブ基地局（図示せず）またはコグニティブアクセスポイント（図示せず）と複数の無線通信方式のうちの少なくとも１つの無線通信方式を用いて２以上の回線によって無線通信を行なう。より詳細には、コグニティブ端末ＣＡＴ１，ＣＡＴ２の各々は、コグニティブ無線によって複数の無線通信方式の少なくとも１つの無線通信方式を用いて２以上の回線により無線通信を行なう。なお、コグニティブ無線は、非特許文献１に記載された定義によって定義される。また、１つの無線通信方式を用いた２以上の回線とは、１つの無線通信方式において２以上の周波数を用いた無線通信を言う。
【００２９】
コグニティブ基地局ＣＢＳ１は、コグニティブ端末ＣＡＴ１と複数の無線通信方式のうちの少なくとも１つの無線通信方式を用いて２以上の回線によって無線通信を行なうとともに、ケーブル１１０を介してコグニティブゲートウェイＣＧＷ１と通信を行なう。
【００３０】
コグニティブアクセスポイントＣＡＰ１は、コグニティブ端末ＣＡＴ１と複数の無線通信方式のうちの少なくとも１つの無線通信方式を用いて２以上の回線によって無線通信を行なうとともに、ケーブル１２０を介してコグニティブゲートウェイＣＧＷ１と通信を行なう。
【００３１】
コグニティブゲートウェイＣＧＷ１は、それぞれケーブル１１０，１２０を介してコグニティブ基地局ＣＢＳ１およびコグニティブアクセスポイントＣＡＰ１と通信を行なうとともに、ケーブル１３０を介してグローバルホームレジスタＧＨＲ１と通信を行なう。
【００３２】
コグニティブゲートウェイＣＧＷ２は、ケーブルを介してコグニティブ基地局ＣＢＳ１およびコグニティブアクセスポイントＣＡＰ１以外のコグニティブ基地局（図示せず）またはコグニティブアクセスポイント（図示せず）と通信を行なうとともに、ケーブル１４０を介してグローバルホームレジスタＧＨＲ１と通信を行なう。
【００３３】
グローバルホームレジスタＧＨＲ１は、それぞれケーブル１３０，１４０を介してコグニティブゲートウェイＣＧＷ１，ＣＧＷ２と通信を行なうとともに、ケーブル１５０を介して他のネットワーク２００と通信を行なう。
【００３４】
コグニティブ端末ＣＡＴ１は、無線通信部１１〜１ｎ（ｎは２以上の整数）と、アプリケーション部２１と、情報保持部２２と、選択部２３と、切換部２４とを含む。無線通信部１１〜１ｎの各々は、アンプ、モデム、物理層およびＭＡＣ（Ｍｅｄｉａ  Ａｃｃｅｓｓ  Ｃｏｎｔｒｏｌ）等の無線方式固有の機能を有する。そして、無線通信部１１〜１ｎは、相互に異なる無線通信方式を用いて１以上の回線で無線通信を行なう。即ち、無線通信部１１〜１ｎの各々は、１つの無線通信方式を用いて１以上の周波数で無線通信を行なう。また、無線通信部１１〜１ｎの各々は、コグニティブ端末ＣＡＴ１の周囲の電波環境を測定し、その測定結果を情報保持部２２へ出力する。電波環境は、無線通信の状況からなり、無線通信部１１〜１ｎの各々は、無線通信空間をキャリアセンスすることによってコグニティブ端末ＣＡＴ１の周囲の電波環境を測定する。
【００３５】
なお、複数の無線通信方式とは、符号分割多重接続方式（ＣＤＭＡ：Ｃｏｄｅ  Ｄｉｖｉｓｉｏｎ  Ｍｕｌｔｉｐｌｅ  Ａｃｃｅｓｓ）、および時分割多重方式等の無線通信方式が異なるものを言う。
【００３６】
アプリケーション部２１は、キーボード、ＣＰＵ（Ｃｅｎｔｒａｌ  Ｐｒｏｃｅｓｓｉｎｇ  Ｕｎｉｔ）、ＨＤＤ（Ｈａｒｄ  Ｄｉｓｋ  Ｄｒｉｖｅ）、メモリおよびディスプレイ等からなる。そして、アプリケーション部２１は、キーボードから入力されたユーザの要求に応じて、他のコグニティブ端末と通信するためのデータを格納したパケットを生成し、その生成したパケットを切換部２４へ出力するとともに、切換部２４からパケットを受ける。そして、アプリケーション部２１は、切換部２４から受けたパケットからデータを取り出し、その取り出したデータをディスプレイに表示してデータの内容をユーザに視覚情報として与える。また、アプリケーション部２１は、無線通信を行なうときの要求を選択部２３へ出力する。
【００３７】
情報保持部２２は、コグニティブ端末ＣＡＴ１の周囲の電波環境を示す電波環境情報を無線通信部１１〜１ｎから受ける。そして、情報保持部２２は、その受けた電波環境情報と、無線通信の周波数帯および無線通信の伝送速度等からなるコグニティブ情報を保持する。また、情報保持部２２は、コグニティブ端末ＣＡＴ１の無線通信部１１〜１ｎと無線通信が可能なコグニティブ基地局ＣＢＳ１（またはコグニティブアクセスポイントＣＡＰ１）の無線通信部に関する情報を保持する。
【００３８】
選択部２３は、情報保持部２２に保持されたコグニティブ情報に基づいて、アプリケーション部２１の要求を満たす無線通信が可能な無線通信部を無線通信部１１〜１ｎから選択し、その選択した無線通信部へアプリケーション部２１からのパケットを割り当てるように切換部２４を制御する。また、選択部２３は、情報保持部２２からコグニティブ情報を読み出し、その読み出したコグニティブ情報を切換部２４へ出力する。
【００３９】
切換部２４は、選択部２３からの制御に従って、アプリケーション部２１から受けたパケットを選択部２３によって選択された無線通信部に割り当てる。また、切換部２４は、無線通信部１１〜１ｎから受けた複数のパケットを所定の順序に配列してアプリケーション部２１へ出力する。更に、切換部２４は、選択部２３からコグニティブ情報を受けると、その受けたコグニティブ情報を選択部２３によって選択された無線通信部に割り当てる。なお、コグニティブ端末ＣＡＴ２は、コグニティブ端末ＣＡＴ１と同じ構成からなる。
【００４０】
コグニティブ基地局ＣＢＳ１は、無線通信部３１〜３ｎと、情報保持部４１と、選択部４２と、ルーティング部４３と、切換部４４とを含む。無線通信部３１〜３ｎは、コグニティブ端末ＣＡＴ１，ＣＡＴ２の無線通信部１１〜１ｎに対応して設けられる。そして、無線通信部３１〜３ｎは、無線通信部１１〜１ｎと複数の無線通信方式のうちの少なくとも１つの無線通信方式を用いて２以上の回線によって無線通信を行なう。即ち、無線通信部３１〜３ｎの各々は、１つの無線通信方式を用いて１以上の周波数で無線通信を行なう。また、無線通信部３１〜３ｎの各々は、無線通信部１１〜１ｎと同じ方法によってコグニティブ基地局ＣＢＳ１の周囲の電波環境を測定し、その測定した電波環境を示す電波環境情報を情報保持部４１へ出力する。
【００４１】
情報保持部４１は、無線通信部３１〜３ｎから電波環境情報を受ける。そして、情報保持部４１は、無線通信部３１〜３ｎから受けた電波環境情報と、無線通信の通信帯域および無線通信の伝送速度とからなるコグニティブ情報を保持する。また、情報保持部４１は、コグニティブ端末ＣＡＴ１から送信されたコグニティブ情報を保持する。更に、情報保持部４１は、無線通信部３１〜３ｎが無線通信可能な無線通信部１１〜１ｎに関する情報およびコグニティブ基地局ＣＢＳ１がケーブル１１０によって接続されたコグニティブゲートウェイＣＧＷ１に関する情報を保持する。
【００４２】
選択部４２は、情報保持部４１に保持されたコグニティブ情報に基づいて、コグニティブゲートウェイＣＧＷ１から受信した複数のパケットをコグニティブ端末ＣＡＴ１へ送信するのに適した無線通信部を無線通信部３１〜３ｎから選択し、その選択した無線通信部へ複数のパケットを割り当てるように切換部４４を制御する。また、選択部４２は、情報保持部４１からコグニティブ情報を読み出し、その読み出したコグニティブ情報を切換部４４へ出力する。
【００４３】
ルーティング部４３は、切換部４４から複数のパケットを受け、その受けた複数のパケットの各々からアドレスを検出する。この場合、複数のパケットの各々から検出されるアドレスは、コグニティブ端末ＣＡＴ１とコグニティブ基地局ＣＢＳ１との間で用いられ、かつ、各無線通信方式に割り当てられたローカルＩＰアドレスＬＡＤである。また、コグニティブ基地局ＣＢＳ１とコグニティブゲートウェイＣＧＷ１との間では、グローバルＩＰアドレスＧＡＤ１が用いられる。
【００４４】
従って、ルーティング部４３は、複数のパケットから検出した複数のローカルＩＰアドレスＬＡＤと、１個のグローバルＩＰアドレスＧＡＤ１とを対応付ける。そして、ルーティング部４３は、その対応付けたグローバルＩＰアドレスＧＡＤ１を切換部４４へ出力する。
【００４５】
切換部４４は、無線通信部３１〜３ｎから複数のパケットを受けると、その受けた複数のパケットを所定の順序に配列し、その配列したパケットにルーティング部４３から受けたグローバルＩＰアドレスＧＡＤ１を付加してコグニティブゲートウェイＣＧＷ１へ送信する。また、切換部４４は、選択部４２からの制御に従って、コグニティブゲートウェイＣＧＷ１から受信した複数のパケットを選択部４２によって選択された無線通信部に割り当てる。更に、切換部４４は、選択部４２からコグニティブ情報を受けると、その受けたコグニティブ情報をコグニティブゲートウェイＣＧＷ１へ送信する。なお、コグニティブアクセスポイントＣＡＰ１は、コグニティブ基地局ＣＢＳ１と同じ構成からなる。
【００４６】
コグニティブゲートウェイＣＧＷ１は、情報保持部５１と、選択部５２と、ルーティング部５３と、ルータ５４とを含む。情報保持部５１は、コグニティブ基地局ＣＢＳ１またはコグニティブアクセスポイントＣＡＰ１が送信したコグニティブ情報をルータ５４から受け、その受けたコグニティブ情報を保持する。また、情報保持部５１は、コグニティブゲートウェイＣＧＷ１とコグニティブ基地局ＣＢＳ１およびコグニティブアクセスポイントＣＡＰ１との接続関係に関する情報と、コグニティブ基地局ＣＢＳ１およびコグニティブアクセスポイントＣＡＰ１の各々とコグニティブ端末ＣＡＴ１，ＣＡＴ２とのアクセス関係に関する情報とを保持する。
【００４７】
選択部５２は、情報保持部５１に保持されたコグニティブ情報に基づいて、グローバルホームレジスタＧＨＲ１から受信した複数のパケットをコグニティブ端末ＣＡＴ１へ送信するのに適した無線通信部を無線通信部３１〜３ｎから選択し、その選択した無線通信部を有するコグニティブ基地局ＣＢＳ１またはコグニティブアクセスポイントＣＡＰ１へ複数のパケットを送信するようにルータ５４を制御する。また、選択部５２は、情報保持部５１からコグニティブ情報を読み出し、その読み出したコグニティブ情報をルータ５４へ出力する。
【００４８】
ルーティング部５３は、ルータ５４から複数のパケットを受け、その受けた複数のパケットの各々からアドレスを検出する。この場合、複数のパケットの各々から検出されるアドレスは、コグニティブ基地局ＣＢＳ１とコグニティブゲートウェイＣＧＷ１との間またはコグニティブアクセスポイントＣＡＰ１とコグニティブゲートウェイＣＧＷ１との間で用いられるグローバルＩＰアドレスＧＡＤ１である。また、コグニティブゲートウェイＣＧＷ１とグローバルホームレジスタＧＨＲ１との間では、グローバルＩＰアドレスＧＡＤ２が用いられる。
【００４９】
従って、ルーティング部５３は、複数のパケットから検出した複数のグローバルＩＰアドレスＧＡＤ１と、１個のグローバルＩＰアドレスＧＡＤ２とを対応付ける。そして、ルーティング部５３は、その対応付けたグローバルＩＰアドレスＧＡＤ２をルータ５４へ出力する。
【００５０】
ルータ５４は、ケーブル１１０によってコグニティブ基地局ＣＢＳ１の切換部４４と接続され、ケーブル１２０によってコグニティブアクセスポイントＣＡＰ１の切換部４４と接続される。
【００５１】
ルータ５４は、ケーブル１１０を介してコグニティブ基地局ＣＢＳ１から受信した複数のパケットと、ケーブル１２０を介してコグニティブアクセスポイントＣＡＰ１から受信した複数のパケットとを所定の順序に配列し、その所定の順序に配列したパケットにルーティング部５３から受けたグローバルＩＰアドレスＧＡＤ２を付加してグローバルホームレジスタＧＨＲ１へ送信する。
【００５２】
また、ルータ５４は、選択部５２からの制御に従って、グローバルホームレジスタＧＨＲ１から受信した複数のパケットを選択部５２によって選択されたコグニティブ基地局ＣＢＳ１またはコグニティブアクセスポイントＣＡＰ１へ送信する。更に、ルータ５４は、選択部５２からコグニティブ情報を受けると、その受けたコグニティブ情報をグローバルホームレジスタＧＨＲ１へ送信する。なお、コグニティブゲートウェイＣＧＷ２は、コグニティブゲートウェイＣＧＷ１と同じ構成からなる。
【００５３】
グローバルホームレジスタＧＨＲ１は、情報保持部６１と、選択部６２と、ルーティング部６３と、ルータ６４とを含む。情報保持部６１は、コグニティブゲートウェイＣＧＷ１，ＣＧＷ２が送信したコグニティブ情報をルータ６４から受け、その受けたコグニティブ情報を保持する。また、情報保持部６１は、グローバルホームレジスタＧＨＲ１とコグニティブゲートウェイＣＧＷ１，ＣＧＷ２との接続関係に関する情報と、コグニティブゲートウェイＣＧＷ１，ＣＧＷ２の各々とコグニティブ基地局ＣＢＳ１およびコグニティブアクセスポイントＣＡＰ１の各々との接続関係に関する情報と、コグニティブ基地局ＣＢＳ１およびコグニティブアクセスポイントＣＡＰ１の各々とコグニティブ端末ＣＡＴ１，ＣＡＴ２とのアクセス関係に関する情報とを保持する。
【００５４】
選択部６２は、情報保持部６１に保持されたコグニティブ情報に基づいて、他のネットワーク２００から受信した複数のパケットをコグニティブ端末ＣＡＴ１へ送信するのに適した無線通信部を無線通信部３１〜３ｎから選択し、その選択した無線通信部を有するコグニティブ基地局ＣＢＳ１またはコグニティブアクセスポイントＣＡＰ１へ複数のパケットを送信可能なコグニティブゲートウェイＣＧＷ１またはＣＧＷ２に複数のパケットを送信するようにルータ６４を制御する。また、選択部６２は、情報保持部６１からコグニティブ情報を読み出し、その読み出したコグニティブ情報をルータ６４へ出力する。
【００５５】
ルーティング部６３は、ルータ６４から複数のパケットを受け、その受けた複数のパケットの各々からアドレスを検出する。この場合、複数のパケットの各々から検出されるアドレスは、コグニティブゲートウェイＣＧＷ１とグローバルホームレジスタＧＨＲ１との間またはコグニティブゲートウェイＣＧＷ２とグローバルホームレジスタＧＨＲ１との間で用いられるグローバルＩＰアドレスＧＡＤ２である。また、グローバルホームレジスタＧＨＲ１と他のネットワーク２００との間では、グローバルＩＰアドレスＧＡＤ３が用いられる。
【００５６】
従って、ルーティング部６３は、複数のパケットから検出した複数のグローバルＩＰアドレスＧＡＤ２と、１個のグローバルＩＰアドレスＧＡＤ３とを対応付ける。そして、ルーティング部６３は、その対応付けたグローバルＩＰアドレスＧＡＤ３をルータ６４へ出力する。
【００５７】
ルータ６４は、ケーブル１３０によってコグニティブゲートウェイＣＧＷ１のルータ５４と接続され、ケーブル１４０によってコグニティブゲートウェイＣＧＷ２のルータ５４と接続され、ケーブル１５０によって他のネットワーク２００と接続される。
【００５８】
ルータ６４は、ケーブル１３０を介してコグニティブゲートウェイＣＧＷ１から受信した複数のパケットと、ケーブル１４０を介してコグニティブゲートウェイＣＧＷ２から受信した複数のパケットとを所定の順序に配列し、その所定の順序に配列したパケットにルーティング部６３から受けたグローバルＩＰアドレスＧＡＤ３を付加して他のネットワーク２００へ送信する。
【００５９】
また、ルータ６４は、選択部６２からの制御に従って、他のネットワーク２００から受信した複数のパケットを選択部６２によって選択されたコグニティブゲートウェイＣＧＷ１またはＣＧＷ２へ送信する。
【００６０】
図２は、コグニティブ情報を示す図である。コグニティブ情報ＣＧＩＦは、電波環境、周波数帯域および伝送速度を各無線通信部１１〜１ｎに対応付けた構成からなる。電波環境は、「やや混んでいる」、「空いている」および「非常に混んでいる」等の無線通信空間における電波の使用状況からなる。周波数帯域は、Ａ帯域、Ｂ帯域およびＣ帯域等の各無線通信部１１〜１ｎが使用する周波数からなる。伝送速度は、ａ［ｂｐｓ］、ｂ［ｂｐｓ］およびｃ［ｂｐｓ］等のパケットを送信または転送するレートからなる。
【００６１】
コグニティブ端末ＣＡＴ１，ＣＡＴ２の各々において、無線通信部１１〜１ｎの各々は、無線通信空間をキャリアセンスすることによって「やや混んでいる」、「空いている」および「非常に混んでいる」等の電波の使用状況を測定し、その測定結果を情報保持部２２へ出力し、情報保持部２２は、無線通信部１１〜１ｎの各々から測定結果を受ける。そして、情報保持部２２は、周波数帯域、伝送速度および各無線通信部１１〜１ｎから受けた測定結果を各無線通信部１１〜１ｎに対応付けて図２に示すコグニティブ情報ＣＧＩＦを作成し、その作成したコグニティブ情報ＣＧＩＦを保持する。
【００６２】
また、コグニティブ基地局ＣＢＳ１およびコグニティブアクセスポイントＣＡＰ１の各々において、無線通信部３１〜３ｎの各々は、無線通信空間をキャリアセンスすることによって「やや混んでいる」、「空いている」および「非常に混んでいる」等の電波の使用状況を測定し、その測定結果を情報保持部４１へ出力し、情報保持部４１は、無線通信部３１〜３ｎの各々から測定結果を受ける。そして、情報保持部４１は、周波数帯域、伝送速度および各無線通信部３１〜３ｎから受けた測定結果を各無線通信部３１〜３ｎに対応付けてコグニティブ情報ＣＧＩＦ（＝図２において無線通信部１１〜１ｎを無線通信部３１〜３ｎに代えたコグニティブ情報）を作成し、その作成したコグニティブ情報ＣＧＩＦを保持する。
【００６３】
更に、コグニティブゲートウェイＣＧＷ１，ＣＧＷ２の各々において、情報保持部５１は、コグニティブ端末ＣＡＴ１，ＣＡＴ２から送信されたコグニティブ情報ＣＧＩＦ、またはコグニティブ基地局ＣＢＳ１およびコグニティブアクセスポイントＣＡＰ１から送信されたコグニティブ情報ＣＧＩＦを保持する。
【００６４】
更に、グローバルホームレジスタＧＨＲ１において、情報保持部６１は、コグニティブ端末ＣＡＴ１，ＣＡＴ２から送信されたコグニティブ情報ＣＧＩＦ、またはコグニティブ基地局ＣＢＳ１およびコグニティブアクセスポイントＣＡＰ１から送信されたコグニティブ情報ＣＧＩＦ、またはコグニティブゲートウェイＣＧＷ１，ＣＧＷ２から送信されたコグニティブ情報ＣＧＩＦを保持する。
【００６５】
図３は、端末層と、基地局／アクセスポイント層との対応関係を示す図である。テーブルＴＢ１は、端末層に存在するコグニティブ端末ＣＡＴ１，ＣＡＴ２の無線通信部１１〜１ｎのＩＰアドレスと、基地局／アクセスポイント層に存在するコグニティブ基地局ＣＢＳ１およびコグニティブアクセスポイントＣＡＰ１の無線通信部３１〜３ｎのＩＰアドレスとを対応付けた構成からなる。
【００６６】
ＩＰａｄｄｒｅｓｓ＿ＣＡＴ１は、コグニティブ端末ＣＡＴ１のＩＰアドレスであり、ＩＰａｄｄｒｅｓｓ＿ＲＦ１〜ＩＰａｄｄｒｅｓｓ＿ＲＦｎは、それぞれ、無線通信部１１〜１ｎまたは無線通信部３１〜３ｎのＩＰアドレスである。また、ＩＰａｄｄｒｅｓｓ＿ＣＢＳ１は、コグニティブ基地局ＣＢＳ１のＩＰアドレスであり、ＩＰａｄｄｒｅｓｓ＿ＣＡＰ１は、コグニティブアクセスポイントＣＡＰ１のＩＰアドレスである。
【００６７】
従って、ＩＰａｄｄｒｅｓｓ＿ＲＦ１／ＩＰａｄｄｒｅｓｓ＿ＣＡＴ１〜ＩＰａｄｄｒｅｓｓ＿ＲＦｎ／ＩＰａｄｄｒｅｓｓ＿ＣＡＴ１は、それぞれ、コグニティブ端末ＣＡＴ１に搭載された無線通信部１１〜１ｎのＩＰアドレスである。また、ＩＰａｄｄｒｅｓｓ＿ＲＦ１／ＩＰａｄｄｒｅｓｓ＿ＣＢＳ１〜ＩＰａｄｄｒｅｓｓ＿ＲＦｎ／ＩＰａｄｄｒｅｓｓ＿ＣＢＳ１は、それぞれ、コグニティブ基地局ＣＢＳ１に搭載された無線通信部３１〜３ｎのＩＰアドレスである。更に、ＩＰａｄｄｒｅｓｓ＿ＲＦｎ／ＩＰａｄｄｒｅｓｓ＿ＣＡＰ１は、コグニティブアクセスポイントＣＡＰ１に搭載された無線通信部３ｎのＩＰアドレスである。
【００６８】
そして、ＩＰａｄｄｒｅｓｓ＿ＲＦ１／ＩＰａｄｄｒｅｓｓ＿ＣＡＴ１〜ＩＰａｄｄｒｅｓｓ＿ＲＦｎ／ＩＰａｄｄｒｅｓｓ＿ＣＡＴ１、ＩＰａｄｄｒｅｓｓ＿ＲＦ１／ＩＰａｄｄｒｅｓｓ＿ＣＢＳ１〜ＩＰａｄｄｒｅｓｓ＿ＲＦｎ／ＩＰａｄｄｒｅｓｓ＿ＣＢＳ１およびＩＰａｄｄｒｅｓｓ＿ＲＦｎ／ＩＰａｄｄｒｅｓｓ＿ＣＡＰ１の各々は、上述したローカルＩＰアドレスＬＡＤを構成する。
【００６９】
テーブルＴＢ１においては、ＩＰａｄｄｒｅｓｓ＿ＲＦ１／ＩＰａｄｄｒｅｓｓ＿ＣＡＴ１，ＩＰａｄｄｒｅｓｓ＿ＲＦ２／ＩＰａｄｄｒｅｓｓ＿ＣＡＴ１，・・・は、それぞれ、ＩＰａｄｄｒｅｓｓ＿ＲＦ１／ＩＰａｄｄｒｅｓｓ＿ＣＢＳ１，ＩＰａｄｄｒｅｓｓ＿ＲＦ２／ＩＰａｄｄｒｅｓｓ＿ＣＢＳ１，・・・に対応付けられており、ＩＰａｄｄｒｅｓｓ＿ＲＦｎ／ＩＰａｄｄｒｅｓｓ＿ＣＡＴ１は、ＩＰａｄｄｒｅｓｓ＿ＲＦｎ／ＩＰａｄｄｒｅｓｓ＿ＣＢＳ１およびＩＰａｄｄｒｅｓｓ＿ＲＦｎ／ＩＰａｄｄｒｅｓｓ＿ＣＡＰ１に対応付けられている。
【００７０】
従って、テーブルＴＢ１は、無線通信部１１，１２，・・・が、それぞれ、コグニティブ基地局ＣＢＳ１の無線通信部３１，３２，・・・と無線通信可能であり、無線通信部１ｎがコグニティブ基地局ＣＢＳ１およびコグニティブアクセスポイントＣＡＰ１の無線通信部３ｎと無線通信可能であることを示す。そして、図１に示す情報保持部２２は、テーブルＴＢ１を保持する。
【００７１】
図４は、端末層、基地局／アクセスポイント層およびゲートウェイ層の相互の対応関係を示す図である。テーブルＴＢ２は、端末層に存在するコグニティブ端末ＣＡＴ１，ＣＡＴ２の無線通信部１１〜１ｎのＩＰアドレスと、基地局／アクセスポイント層に存在するコグニティブ基地局ＣＢＳ１およびコグニティブアクセスポイントＣＡＰ１の無線通信部３１〜３ｎのＩＰアドレスと、ゲートウェイ層に存在するコグニティブゲートウェイＣＧＷ１とを対応付けた構成からなる。
【００７２】
ＩＰａｄｄｒｅｓｓ＿ＣＢＳ１＿Ｇは、コグニティブ基地局ＣＢＳ１とコグニティブゲートウェイＣＧＷ１との間で使用されるコグニティブ基地局ＣＢＳ１のＩＰアドレスであり、上述したグローバルＩＰアドレスＧＡＤ１を構成する。また、ＩＰａｄｄｒｅｓｓ＿ＣＡＰ１＿Ｇは、コグニティブアクセスポイントＣＡＰ１とコグニティブゲートウェイＣＧＷ１との間で使用されるコグニティブアクセスポイントＣＡＰ１のＩＰアドレスであり、上述したグローバルＩＰアドレスＧＡＤ１を構成する。更に、ＩＰａｄｄｒｅｓｓ＿ＣＧＷ１は、コグニティブゲートウェイＣＧＷ１とコグニティブ基地局ＣＢＳ１またはコグニティブアクセスポイントＣＡＰ１との間で使用されるコグニティブゲートウェイＣＧＷ１のＩＰアドレスであり、上述したグローバルＩＰアドレスＧＡＤ１を構成する。
【００７３】
ＩＰａｄｄｒｅｓｓ＿ＣＢＳ１＿Ｇは、ＩＰａｄｄｒｅｓｓ＿ＲＦ１／ＩＰａｄｄｒｅｓｓ＿ＣＢＳ１〜ＩＰａｄｄｒｅｓｓ＿ＲＦｎ／ＩＰａｄｄｒｅｓｓ＿ＣＢＳ１に対応付けられている。また、ＩＰａｄｄｒｅｓｓ＿ＣＡＰ１＿Ｇは、ＩＰａｄｄｒｅｓｓ＿ＲＦｎ／ＩＰａｄｄｒｅｓｓ＿ＣＡＰ１に対応付けられている。更に、ＩＰａｄｄｒｅｓｓ＿ＣＧＷ１は、ＩＰａｄｄｒｅｓｓ＿ＣＢＳ１＿ＧおよびＩＰａｄｄｒｅｓｓ＿ＣＡＰ１＿Ｇに対応付けられている。
【００７４】
従って、テーブルＴＢ２は、コグニティブゲートウェイＣＧＷ１が無線通信部３１〜３ｎを搭載するコグニティブ基地局ＣＢＳ１と通信可能であり、コグニティブ基地局ＣＢＳ１の無線通信部３１〜３ｎがそれぞれコグニティブ端末ＣＡＴ１の無線通信部１１〜１ｎと無線通信可能であり、コグニティブアクセスポイントＣＡＰ１の無線通信部３ｎがコグニティブ端末ＣＡＴ１の無線通信部１ｎと無線通信可能であることを示す。そして、図１に示す情報保持部４１は、テーブルＴＢ２を保持する。
【００７５】
図５は、端末層、基地局／アクセスポイント層、ゲートウェイ層およびホームレジスタ層の相互の対応関係を示す図である。テーブルＴＢ３は、端末層に存在するコグニティブ端末ＣＡＴ１，ＣＡＴ２の無線通信部１１〜１ｎのＩＰアドレスと、基地局／アクセスポイント層に存在するコグニティブ基地局ＣＢＳ１およびコグニティブアクセスポイントＣＡＰ１の無線通信部３１〜３ｎのＩＰアドレスと、ゲートウェイ層に存在するコグニティブゲートウェイＣＧＷ１，ＣＧＷ２と、ホームレジスタ層に存在するグローバルホームレジスタＧＨＲ１とを対応付けた構成からなる。
【００７６】
ＩＰａｄｄｒｅｓｓ＿ＣＧＷ１＿Ｇは、コグニティブゲートウェイＣＧＷ１とグローバルホームレジスタＧＨＲ１との間で使用されるコグニティブゲートウェイＣＧＷ１のＩＰアドレスであり、上述したグローバルＩＰアドレスＧＡＤ２を構成する。また、ＩＰａｄｄｒｅｓｓ＿ＣＧＷ２は、コグニティブゲートウェイＣＧＷ２とコグニティブ基地局（コグニティブ基地局ＣＢＳ１以外のコグニティブ基地局）またはコグニティブアクセスポイント（コグニティブアクセスポイントＣＡＰ１以外のコグニティブアクセスポイント）との間で使用されるコグニティブゲートウェイＣＧＷ２のＩＰアドレスであり、上述したグローバルＩＰアドレスＧＡＤ１を構成する。更に、ＩＰａｄｄｒｅｓｓ＿ＣＧＷ２＿Ｇは、コグニティブゲートウェイＣＧＷ２とグローバルホームレジスタＧＨＲ１との間で使用されるコグニティブゲートウェイＣＧＷ２のＩＰアドレスであり、上述したグローバルＩＰアドレスＧＡＤ２を構成する。更に、ＩＰａｄｄｒｅｓｓ＿ＧＨＲ１は、グローバルホームレジスタＧＨＲ１とコグニティブゲートウェイＣＧＷ１，ＣＧＷ２との間で使用されるグローバルホームレジスタＧＨＲ１のＩＰアドレスであり、上述したグローバルＩＰアドレスＧＡＤ２を構成する。
【００７７】
ＩＰａｄｄｒｅｓｓ＿ＣＧＷ１＿Ｇは、ＩＰａｄｄｒｅｓｓ＿ＣＧＷ１に対応付けられており、ＩＰａｄｄｒｅｓｓ＿ＣＧＷ２＿Ｇは、ＩＰａｄｄｒｅｓｓ＿ＣＧＷ２に対応付けられている。また、ＩＰａｄｄｒｅｓｓ＿ＧＨＲ１は、ＩＰａｄｄｒｅｓｓ＿ＣＧＷ１＿Ｇ，ＩＰａｄｄｒｅｓｓ＿ＣＧＷ２＿Ｇに対応付けられている。
【００７８】
従って、テーブルＴＢ３は、グローバルホームレジスタＧＨＲ１がコグニティブゲートＣＧＷ１，ＣＧＷ２と通信可能であり、コグニティブゲートウェイＣＧＷ１が無線通信部３１〜３ｎを搭載するコグニティブ基地局ＣＢＳ１と通信可能であり、コグニティブ基地局ＣＢＳ１の無線通信部３１〜３ｎがそれぞれコグニティブ端末ＣＡＴ１の無線通信部１１〜１ｎと無線通信可能であり、コグニティブアクセスポイントＣＡＰ１の無線通信部３ｎがコグニティブ端末ＣＡＴ１の無線通信部１ｎと無線通信可能であることを示す。そして、図１に示す情報保持部５１は、テーブルＴＢ３を保持する。
【００７９】
図６は、端末層、基地局／アクセスポイント層、ゲートウェイ層およびホームレジスタ層の相互の対応関係を示す他の図である。テーブルＴＢ４は、図５に示すテーブルＴＢ３にＩＰａｄｄｒｅｓｓ＿ＧＨＲ１＿Ｇを追加したものであり、その他は、テーブルＴＢ３と同じである。
【００８０】
ＩＰａｄｄｒｅｓｓ＿ＧＨＲ１＿Ｇは、グローバルホームレジスタＧＨＲ１と他のネットワーク２００との間で使用されるグローバルホームレジスタＧＨＲ１のＩＰアドレスであり、上述したグローバルＩＰアドレスＧＡＤ３を構成する。そして、ＩＰａｄｄｒｅｓｓ＿ＧＨＲ１＿Ｇは、ＩＰａｄｄｒｅｓｓ＿ＧＨＲ１に対応付けられている。
【００８１】
従って、テーブルＴＢ４は、他のネットワーク２００がグローバルホームレジスタＧＨＲ１と通信可能であり、グローバルホームレジスタＧＨＲ１がコグニティブゲートＣＧＷ１，ＣＧＷ２と通信可能であり、コグニティブゲートウェイＣＧＷ１が無線通信部３１〜３ｎを搭載するコグニティブ基地局ＣＢＳ１と通信可能であり、コグニティブ基地局ＣＢＳ１の無線通信部３１〜３ｎがそれぞれコグニティブ端末ＣＡＴ１の無線通信部１１〜１ｎと無線通信可能であり、コグニティブアクセスポイントＣＡＰ１の無線通信部３ｎがコグニティブ端末ＣＡＴ１の無線通信部１ｎと無線通信可能であることを示す。そして、図１に示す情報保持部６１は、テーブルＴＢ４を保持する。
【００８２】
コグニティブ端末ＣＡＴ１，ＣＡＴ２の各々は、無線通信部１１〜１ｎによって、それぞれ、ＩＰａｄｄｒｅｓｓ＿ＲＦ１／ＩＰａｄｄｒｅｓｓ＿ＣＡＴ１〜ＩＰａｄｄｒｅｓｓ＿ＲＦｎ／ＩＰａｄｄｒｅｓｓ＿ＣＡＴ１をコグニティブ基地局ＣＢＳ１またはコグニティブアクセスポイントＣＡＰ１へ送信し、コグニティブ基地局ＣＢＳ１およびコグニティブアクセスポイントＣＡＰ１の各々は、無線通信部３１〜３ｎによって、それぞれ、ＩＰａｄｄｒｅｓｓ＿ＲＦ１／ＩＰａｄｄｒｅｓｓ＿ＣＢＳ１〜ＩＰａｄｄｒｅｓｓ＿ＲＦｎ／ＩＰａｄｄｒｅｓｓ＿ＣＢＳ１をコグニティブ端末ＣＡＴ１，ＣＡＴ２へ送信する。
【００８３】
そして、コグニティブ端末ＣＡＴ１，ＣＡＴ２の各々において、選択部２３は、受信したＩＰａｄｄｒｅｓｓ＿ＲＦ１／ＩＰａｄｄｒｅｓｓ＿ＣＢＳ１〜ＩＰａｄｄｒｅｓｓ＿ＲＦｎ／ＩＰａｄｄｒｅｓｓ＿ＣＢＳ１に基づいて、テーブルＴＢ１を作成して情報保持部２２に格納する。
【００８４】
コグニティブ端末ＣＡＴ１，ＣＡＴ２の各々は、作成したテーブルＴＢ１をコグニティブ基地局ＣＢＳ１およびコグニティブアクセスポイントＣＡＰ１へ送信する。コグニティブ基地局ＣＢＳ１は、ＩＰａｄｄｒｅｓｓ＿ＣＢＳ１＿Ｇをケーブル１１０を介してコグニティブゲートウェイＣＧＷ１へ送信し、コグニティブアクセスポイントＣＡＰ１は、ＩＰａｄｄｒｅｓｓ＿ＣＡＰ１＿Ｇをケーブル１２０を介してコグニティブゲートウェイＣＧＷ１へ送信し、コグニティブゲートウェイＣＧＷ１は、ＩＰａｄｄｒｅｓｓ＿ＣＡＰ１＿ＧおよびＩＰａｄｄｒｅｓｓ＿ＣＧＷ１をコグニティブ基地局ＣＢＳ１へ送信するとともに、ＩＰａｄｄｒｅｓｓ＿ＣＢＳ１＿ＧおよびＩＰａｄｄｒｅｓｓ＿ＣＧＷ１をコグニティブアクセスポイントＣＡＰ１へ送信する。
【００８５】
そして、コグニティブ基地局ＣＢＳ１のルーティング部４３は、ＩＰａｄｄｒｅｓｓ＿ＣＢＳ１＿Ｇ、ＩＰａｄｄｒｅｓｓ＿ＣＡＰ１＿ＧおよびＩＰａｄｄｒｅｓｓ＿ＣＧＷ１をテーブルＴＢ１に付加してテーブルＴＢ２を作成し、その作成したテーブルＴＢ２を情報保持部４１に格納する。また、コグニティブアクセスポイントＣＡＰ１のルーティング部４３は、ＩＰａｄｄｒｅｓｓ＿ＣＢＳ１＿Ｇ、ＩＰａｄｄｒｅｓｓ＿ＣＡＰ１＿ＧおよびＩＰａｄｄｒｅｓｓ＿ＣＧＷ１をテーブルＴＢ１に付加してテーブルＴＢ２を作成し、その作成したテーブルＴＢ２を情報保持部４１に格納する。
【００８６】
コグニティブ基地局ＣＢＳ１およびコグニティブアクセスポイントＣＡＰ１は、それぞれ、ケーブル１１０，１２０によってテーブルＴＢ２をコグニティブゲートウェイＣＧＷ１へ送信する。
【００８７】
コグニティブゲートウェイＣＧＷ１は、ＩＰａｄｄｒｅｓｓ＿ＣＧＷ１＿Ｇをケーブル１３０を介してグローバルホームレジスタＧＨＲ１へ送信し、コグニティブゲートウェイＣＧＷ２は、ＩＰａｄｄｒｅｓｓ＿ＣＧＷ２＿Ｇをケーブル１４０を介してグローバルホームレジスタＧＨＲ１へ送信し、グローバルホームレジスタＧＨＲ１は、ＩＰａｄｄｒｅｓｓ＿ＣＧＷ２＿ＧおよびＩＰａｄｄｒｅｓｓ＿ＧＨＲ１をコグニティブゲートウェイＣＧＷ１へ送信するとともに、ＩＰａｄｄｒｅｓｓ＿ＣＧＷ１＿ＧおよびＩＰａｄｄｒｅｓｓ＿ＧＨＲ１をコグニティブゲートウェイＣＧＷ２へ送信する。
【００８８】
そして、コグニティブゲートウェイＣＧＷ１のルーティング部５３は、ＩＰａｄｄｒｅｓｓ＿ＣＧＷ１＿Ｇ、ＩＰａｄｄｒｅｓｓ＿ＣＧＷ２＿ＧおよびＩＰａｄｄｒｅｓｓ＿ＧＨＲ１をテーブルＴＢ２に付加してテーブルＴＢ３を作成し、その作成したテーブルＴＢ３を情報保持部５１に格納する。また、グニティブゲートウェイＣＧＷ２のルーティング部５３は、ＩＰａｄｄｒｅｓｓ＿ＣＧＷ１＿Ｇ、ＩＰａｄｄｒｅｓｓ＿ＣＧＷ２＿ＧおよびＩＰａｄｄｒｅｓｓ＿ＧＨＲ１をテーブルＴＢ２に付加してテーブルＴＢ３を作成し、その作成したテーブルＴＢ３を情報保持部５１に格納する。
【００８９】
グニティブゲートウェイＣＧＷ１，ＣＧＷ２の各々は、それぞれ、ケーブル１３０，１４０によって、テーブルＴＢ３をグローバルホームレジスタＧＨＲ１へ送信する。そして、グローバルホームレジスタＧＨＲ１は、他のネットワーク２００からＩＰａｄｄｒｅｓｓ＿２００＿Ｇを受信する。そして、グローバルホームレジスタＧＨＲ１のルーティング部６３は、ＩＰａｄｄｒｅｓｓ＿ＧＨＲ１＿ＧおよびＩＰａｄｄｒｅｓｓ＿２００＿ＧをテーブルＴＢ３に追加してテーブルＴＢ４を作成し、その作成したテーブルＴＢ４を情報保持部６１に格納する。
【００９０】
このようにして、テーブルＴＢ１〜ＴＢ４は、作成され、それぞれ、情報保持部２２，４１，５１，６１に格納される。
【００９１】
図７は、パケットの分配および集約の方法を示す図である。なお、図７においては、図１に示すコグニティブ端末ＣＡＴ１の切換部２４におけるパケットの分配および集約について説明する。また、無線通信部１１〜１ｎの全てが無線通信を行なう無線通信部として選択されているものとする。
【００９２】
切換部２４は、アプリケーション部２１から複数のパケットＰＫＴ１〜ＰＫＴｎを順次受けると、パケットＰＫＴ１を無線通信部１１へ分配し、パケットＰＫＴ２を無線通信部１２へ分配し、パケットＰＫＴｎを無線通信部１ｎへ分配する。このように、切換部２４は、アプリケーション部２１から受けた複数のパケットＰＫＴ１〜ＰＫＴｎを各パケットＰＫＴ１〜ＰＫＴｎの送信に適した無線通信部へ分配する（図７の（ａ）参照）。
【００９３】
また、切換部２４は、無線通信部１１〜１ｎからそれぞれパケットＰＫＴ１〜ＰＫＴｎを受けると、その受けたパケットＰＫＴ１〜ＰＫＴｎの順序をパケットＰＫＴ２、パケットＰＫＴ１、・・・、パケットＰＫＴｎに配列し、その配列したパケットＰＫＴ２、パケットＰＫＴ１、・・・、パケットＰＫＴｎをアプリケーション部２１へ順次出力する。このように、切換部２４は、無線通信部１１〜１ｎから受けた複数のパケットＰＫＴ１〜ＰＫＴｎを所定の配列に集約する（図７の（ｂ）参照）。
【００９４】
なお、図１に示すコグニティブ基地局ＣＢＳ１またはコグニティブアクセスポイントＣＡＰ１の切換部４４は、図７の（ａ）に示す方法によってコグニティブゲートウェイＣＧＷ１から受信した複数のパケットを無線通信部３１〜３ｎに分配し、図７の（ｂ）に示す方法によって無線通信部３１〜３ｎからの複数のパケットを集約する。
【００９５】
また、図１に示すコグニティブゲートウェイＣＧＷ１のルータ５４は、図７の（ａ）に示す方法によってグローバルホームレジスタＧＨＲ１から受信した複数のパケットをコグニティブ基地局ＣＢＳ１またはコグニティブアクセスポイントＣＡＰ１に分配し、図７の（ｂ）に示す方法によってコグニティブ基地局ＣＢＳ１およびコグニティブアクセスポイントＣＡＰ１から受信した複数のパケットを集約する。更に、図１に示すグローバルホームレジスタＧＨＲ１のルータ６４は、図７の（ａ）に示す方法によって他のネットワーク２００から受信した複数のパケットをコグニティブゲートウェイＣＧＷ１，ＣＧＷ２に分配し、図７の（ｂ）に示す方法によってコグニティブゲートウェイＣＧＷ１，ＣＧＷ２から受信した複数のパケットを集約する。
【００９６】
［第１の通信方法］
図８は、通信ネットワークシステム１００における通信方法の第１の例を示す図である。また、図９は、図８に示す情報保持部２２，４１，５１，６１が保持するコグニティブ情報を示す図である。更に、図１０は、パケットの例を示す図である。
【００９７】
図８においては、コグニティブ端末ＣＡＴ１が他のネットワーク２００に含まれる端末と通信を行なう場合について説明する。この場合、コグニティブ端末ＣＡＴ１は、２個の無線通信部１１，１ｎを用いて通信を行なうものとする。また、情報保持部２２，４１，５１，６１は、図９に示すコグニティブ情報ＣＧＩＦ１，ＣＧＩＦ２を保持するものとする。
【００９８】
コグニティブ端末ＣＡＴ１の選択部２３は、情報保持部２２に保持されたコグニティブ情報ＣＧＩＦ１（図９の（ａ）参照）を参照して、無線通信部１２〜１ｎ−１の電波環境が混んでおり、無線通信部１１，１ｎの電波環境が空いていることを検知し、コグニティブ情報ＣＧＩＦ２（図９の（ｂ）参照）を参照して、コグニティブ基地局ＣＢＳ１の無線通信部３２〜３ｎ−１が混んでおり、無線通信部３１，３ｎが空いていることを検知する。また、コグニティブ端末ＣＡＴ１の選択部２３は、アプリケーション部２１からデータの伝送速度からなる要求事項を受け、ａ［ｂｐｓ］およびｄ［ｂｐｓ］の伝送速度がアプリケーション部２１から要求された伝送速度を満たすことを確認する。
【００９９】
そして、コグニティブ端末ＣＡＴ１の選択部２３は、無線通信を行なう無線通信部として無線通信部１１，１ｎを選択し、無線通信部１１，１ｎによって無線通信を行なうように切換部２４を制御する。
【０１００】
アプリケーション部２１は、データを含むパケットを生成し、その生成したパケットを切換部２４へ出力する。切換部２４は、選択部２３からの制御に従って無線通信部１１，１ｎを用いて無線通信することを検知する。そして、切換部２４は、アプリケーション部２１からパケットを受けると、情報保持部２２に保持されたテーブルＴＢ１（図３参照）を参照して、ＩＰａｄｄｒｅｓｓ＿ＲＦ１／ＩＰａｄｄｒｅｓｓ＿ＣＡＴ１およびＩＰａｄｄｒｅｓｓ＿ＲＦ１／ＩＰａｄｄｒｅｓｓ＿ＣＢＳ１を読み出し、その読み出したＩＰａｄｄｒｅｓｓ＿ＲＦ１／ＩＰａｄｄｒｅｓｓ＿ＣＡＴ１およびＩＰａｄｄｒｅｓｓ＿ＲＦ１／ＩＰａｄｄｒｅｓｓ＿ＣＢＳ１を付加して無線通信部１１に分配するパケットＰＫＴ＿１１（図１０参照）を生成する。
【０１０１】
また、切換部２４は、テーブルＴＢ１（図３参照）を参照して、ＩＰａｄｄｒｅｓｓ＿ＲＦｎ／ＩＰａｄｄｒｅｓｓ＿ＣＡＴ１およびＩＰａｄｄｒｅｓｓ＿ＲＦｎ／ＩＰａｄｄｒｅｓｓ＿ＣＢＳ１を読み出し、その読み出したＩＰａｄｄｒｅｓｓ＿ＲＦｎ／ＩＰａｄｄｒｅｓｓ＿ＣＡＴ１およびＩＰａｄｄｒｅｓｓ＿ＲＦｎ／ＩＰａｄｄｒｅｓｓ＿ＣＢＳ１を付加して無線通信部１ｎに分配するパケットＰＫＴ＿１ｎ（図１０参照）を生成する。
【０１０２】
切換部２４は、パケットＰＫＴ＿１１，ＰＫＴ＿１ｎを生成すると、その生成したパケットＰＫＴ＿１１を無線通信部１１に分配し、パケットＰＫＴ＿１ｎを無線通信部１ｎに分配する。
【０１０３】
無線通信部１１は、切換部２４からパケットＰＫＴ＿１１を受けると、その受けたパケットＰＫＴ＿１１をＡ帯域の周波数およびａ［ｂｐｓ］の伝送速度で無線通信によって無線通信部３１へ送信する。また、無線通信部１ｎは、切換部２４からパケットＰＫＴ＿１ｎを受けると、その受けたパケットＰＫＴ＿１ｎをＤ帯域の周波数およびｄ［ｂｐｓ］の伝送速度で無線通信によって無線通信部３ｎへ送信する。
【０１０４】
このように、コグニティブ端末ＣＡＴ１は、コグニティブ情報ＣＧＩＦ１に基づいて、アプリケーション部２１の要求を満たす無線通信部１１，１ｎを選択し、その選択した無線通信部１１，１ｎを用いてパケットをコグニティブ基地局ＣＢＳ１へ送信する。
【０１０５】
コグニティブ基地局ＣＢＳ１の無線通信部３１は、無線通信部１１が無線通信によって送信したパケットＰＫＴ＿１１を受信し、その受信したパケットＰＫＴ＿１１を切換部４４へ出力する。また、無線通信部３ｎは、無線通信部１ｎが無線通信によって送信したパケットＰＫＴ＿１ｎを受信し、その受信したパケットＰＫＴ＿１ｎを切換部４４へ出力する。
【０１０６】
そして、切換部４４は、無線通信部３１から受けた複数のパケットＰＫＴ＿１１と、無線通信部３ｎから受けた複数のパケットＰＫＴ＿１ｎとを所定の順序に配列して複数のパケットＰＫＴ＿１１，ＰＫＴ＿１ｎを集約する。その後、切換部４４は、集約した複数のパケットＰＫＴ＿１１，ＰＫＴ＿１ｎをルーティング部４３へ出力する。
【０１０７】
ルーティング部４３は、複数のパケットＰＫＴ＿１１，ＰＫＴ＿１ｎを受けると、その受けたパケットＰＫＴ＿１１，ＰＫＴ＿１ｎに含まれるＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１を検出し、その検出したＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１に対応するＩＰａｄｄｒｅｓｓ＿ＣＢＳ１＿Ｇと、ＩＰａｄｄｒｅｓｓ＿ＣＢＳ１＿Ｇに対応するＩＰａｄｄｒｅｓｓ＿ＣＧＷ１とを情報保持部４１に保持されたテーブルＴＢ２（図４参照）を参照して検出する。そして、ルーティング部４３は、その検出したＩＰａｄｄｒｅｓｓ＿ＣＢＳ１＿ＧおよびＩＰａｄｄｒｅｓｓ＿ＣＧＷ１を切換部４４へ出力する。このように、ルーティング部４３は、コグニティブ端末ＣＡＴ１とコグニティブ基地局ＣＢＳ１との間で使用される複数のローカルＩＰアドレス（＝ＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１）をコグニティブ基地局ＣＢＳ１とコグニティブゲートウェイＣＧＷ１との間で使用される１個のグローバルＩＰアドレス（＝ＩＰａｄｄｒｅｓｓ＿ＣＢＳ１＿Ｇ）に対応付ける。
【０１０８】
切換部４４は、ルーティング部４３からＩＰａｄｄｒｅｓｓ＿ＣＢＳ１＿ＧおよびＩＰａｄｄｒｅｓｓ＿ＣＧＷ１を受けると、その受けたＩＰａｄｄｒｅｓｓ＿ＣＢＳ１＿ＧおよびＩＰａｄｄｒｅｓｓ＿ＣＧＷ１をそれぞれ送信元のＩＰアドレスおよび送信先のＩＰアドレスとしてパケットＰＫＴ＿１１のＩＰａｄｄｒｅｓｓ＿ＲＦ１／ＩＰａｄｄｒｅｓｓ＿ＣＢＳ１およびパケットＰＫＴ＿１ｎのＩＰａｄｄｒｅｓｓ＿ＲＦｎ／ＩＰａｄｄｒｅｓｓ＿ＣＢＳ１の代わりにパケットＰＫＴ＿１１，ＰＫＴ＿１ｎに設定してパケットＰＫＴ＿１１＿Ｇ１，ＰＫＴ＿１ｎ＿Ｇ１（図１０参照）を生成し、その生成したパケットＰＫＴ＿１１＿Ｇ１，ＰＫＴ＿１ｎ＿Ｇ１をケーブル１１０を介してコグニティブゲートウェイＣＧＷ１へ送信する。
【０１０９】
コグニティブゲートウェイＣＧＷ１のルータ５４は、ケーブル１１０を介してパケットＰＫＴ＿１１＿Ｇ１，ＰＫＴ＿１ｎ＿Ｇ１を受信し、その受信したパケットＰＫＴ＿１１＿Ｇ１，ＰＫＴ＿１ｎ＿Ｇ１をルーティング部５３へ出力する。
【０１１０】
ルーティング部５３は、ルータ５４からパケットＰＫＴ＿１１＿Ｇ１，ＰＫＴ＿１ｎ＿Ｇ１を受けると、その受けたパケットＰＫＴ＿１１＿Ｇ１，ＰＫＴ＿１ｎ＿Ｇ１に含まれるＩＰａｄｄｒｅｓｓ＿ＣＧＷ１を検出し、その検出したＩＰａｄｄｒｅｓｓ＿ＣＧＷ１に対応するＩＰａｄｄｒｅｓｓ＿ＣＧＷ１＿Ｇと、ＩＰａｄｄｒｅｓｓ＿ＣＧＷ１＿Ｇに対応するＩＰａｄｄｒｅｓｓ＿ＧＨＲ１とを情報保持部５１に保持されたテーブルＴＢ３（図５参照）を参照して検出する。そして、ルーティング部５３は、その検出したＩＰａｄｄｒｅｓｓ＿ＣＧＷ１＿ＧおよびＩＰａｄｄｒｅｓｓ＿ＧＨＲ１をルータ５４へ出力する。このように、ルーティング部５３は、コグニティブ基地局ＣＢＳ１とコグニティブゲートウェイＣＧＷ１との間で使用されるローカルＩＰアドレス（＝ＩＰａｄｄｒｅｓｓ＿ＣＧＷ１）をコグニティブゲートウェイＣＧＷ１とグローバルホームレジスタＧＨＲ１との間で使用される１個のグローバルＩＰアドレス（＝ＩＰａｄｄｒｅｓｓ＿ＣＧＷ１＿Ｇ）に対応付ける。
【０１１１】
ルータ５４は、ルーティング部５３からＩＰａｄｄｒｅｓｓ＿ＣＧＷ１＿ＧおよびＩＰａｄｄｒｅｓｓ＿ＧＨＲ１を受けると、その受けたＩＰａｄｄｒｅｓｓ＿ＣＧＷ１＿ＧおよびＩＰａｄｄｒｅｓｓ＿ＧＨＲ１をそれぞれ送信元のＩＰアドレスおよび送信先のＩＰアドレスとしてパケットＰＫＴ＿１１＿Ｇ１，ＰＫＴ＿１ｎ＿Ｇ１のＩＰａｄｄｒｅｓｓ＿ＣＧＷ１｜ＩＰａｄｄｒｅｓｓ＿ＣＢＳ１＿Ｇの代わりにパケットＰＫＴ＿１１＿Ｇ１，ＰＫＴ＿１ｎ＿Ｇ１に設定してパケットＰＫＴ＿１１＿Ｇ２，ＰＫＴ＿１ｎ＿Ｇ２（図１０参照）を生成し、その生成したパケットＰＫＴ＿１１＿Ｇ２，ＰＫＴ＿１ｎ＿Ｇ２をケーブル１３０を介してグローバルホームレジスタＧＨＲ１へ送信する。
【０１１２】
グローバルホームレジスタＧＨＲ１のルータ６４は、ケーブル１３０を介してパケットＰＫＴ＿１１＿Ｇ２，ＰＫＴ＿１ｎ＿Ｇ２を受信し、その受信したパケットＰＫＴ＿１１＿Ｇ２，ＰＫＴ＿１ｎ＿Ｇ２をルーティング部６３へ出力する。
【０１１３】
ルーティング部６３は、ルータ６４からパケットＰＫＴ＿１１＿Ｇ２，ＰＫＴ＿１ｎ＿Ｇ２を受けると、その受けたパケットＰＫＴ＿１１＿Ｇ２，ＰＫＴ＿１ｎ＿Ｇ２に含まれるＩＰａｄｄｒｅｓｓ＿ＧＨＲ１を検出し、その検出したＩＰａｄｄｒｅｓｓ＿ＧＨＲ１に対応するＩＰａｄｄｒｅｓｓ＿ＧＨＲ１＿Ｇと、ＩＰａｄｄｒｅｓｓ＿ＧＨＲ１＿Ｇに対応する他のネットワーク２００のＩＰａｄｄｒｅｓｓ＿２００＿Ｇとを情報保持部６１に保持されたテーブルＴＢ４（図６参照）を参照して検出する。そして、ルーティング部６３は、その検出したＩＰａｄｄｒｅｓｓ＿ＧＨＲ１＿ＧおよびＩＰａｄｄｒｅｓｓ＿２００＿Ｇをルータ６４へ出力する。このように、ルーティング部６３は、コグニティブゲートウェイＣＧＷ１とグローバルホームレジスタＧＨＲ１との間で使用されるローカルＩＰアドレス（＝ＩＰａｄｄｒｅｓｓ＿ＧＨＲ１）をグローバルホームレジスタＧＨＲ１と他のネットワーク２００との間で使用される１個のグローバルＩＰアドレス（＝ＩＰａｄｄｒｅｓｓ＿ＧＨＲ１＿Ｇ）に対応付ける。
【０１１４】
ルータ６４は、ルーティング部６３からＩＰａｄｄｒｅｓｓ＿ＧＨＲ１＿ＧおよびＩＰａｄｄｒｅｓｓ＿２００＿Ｇを受けると、その受けたＩＰａｄｄｒｅｓｓ＿ＧＨＲ１＿ＧおよびＩＰａｄｄｒｅｓｓ＿２００＿Ｇをそれぞれ送信元のＩＰアドレスおよび送信先のＩＰアドレスとしてパケットＰＫＴ＿１１＿Ｇ２，ＰＫＴ＿１ｎ＿Ｇ２のＩＰａｄｄｒｅｓｓ＿ＧＨＲ１｜ＩＰａｄｄｒｅｓｓ＿ＣＧＷ１＿Ｇの代わりにパケットＰＫＴ＿１１＿Ｇ２，ＰＫＴ＿１ｎ＿Ｇ２に設定してパケットＰＫＴ＿１１＿Ｇ３，ＰＫＴ＿１ｎ＿Ｇ３（図１０参照）を生成し、その生成したパケットＰＫＴ＿１１＿Ｇ３，ＰＫＴ＿１ｎ＿Ｇ３をケーブル１５０を介して他のネットワーク２００へ送信する。
【０１１５】
これによって、コグニティブ端末ＣＡＴ１は、コグニティブ基地局ＣＢＳ１、コグニティブゲートウェイＣＧＷ１およびグローバルホームレジスタＧＨＲ１を介して他のネットワーク２００へパケットＰＫＴ１１，ＰＫＴ１ｎを送信できる。
【０１１６】
その後、グローバルホームレジスタＧＨＲ１のルータ６４は、ケーブル１５０を介して他のネットワーク２００からパケットＰＫＴ＿１１＿Ｇ３，ＰＫＴ＿１ｎ＿Ｇ３を受信し、その受信したパケットＰＫＴ＿１１＿Ｇ３，ＰＫＴ＿１ｎ＿Ｇ３を選択部６２およびルーティング部６３へ出力する。
【０１１７】
選択部６２は、ルータ６４からパケットＰＫＴ＿１１＿Ｇ３，ＰＫＴ＿１ｎ＿Ｇ３を受けると、その受けたパケットＰＫＴ＿１１＿Ｇ３，ＰＫＴ＿１ｎ＿Ｇ３に含まれるＩＰａｄｄｒｅｓｓ＿ＲＦ１／ＩＰａｄｄｒｅｓｓ＿ＣＡＴ１，ＩＰａｄｄｒｅｓｓ＿ＲＦｎ／ＩＰａｄｄｒｅｓｓ＿ＣＡＴ１を参照して、パケットＰＫＴ＿１１＿Ｇ３，ＰＫＴ＿１ｎ＿Ｇ３をコグニティブ端末ＣＡＴ１へ送信することを検知する。
【０１１８】
そして、選択部６２は、情報保持部６１に保持されたコグニティブ情報ＣＧＩＦ２（図９の（ｂ）参照）を参照して、パケットＰＫＴ＿１１＿Ｇ３，ＰＫＴ＿１ｎ＿Ｇ３をコグニティブ端末ＣＡＴ１へ送信するのに適した無線通信部３１，３ｎを無線通信部３１〜３ｎから選択する。また、選択部６２は、情報保持部６１に保持されたテーブルＴＢ４（図６参照）を参照して、選択した無線通信部３１，３ｎがコグニティブ基地局ＣＢＳ１に搭載されていることを検知し、パケットＰＫＴ＿１１＿Ｇ３，ＰＫＴ＿１ｎ＿Ｇ３をコグニティブ基地局ＣＢＳ１へ送信するために、パケットＰＫＴ＿１１＿Ｇ３，ＰＫＴ＿１ｎ＿Ｇ３を全てコグニティブゲートウェイＣＧＷ１に分配するようにルータ６４を制御する。更に、選択部６２は、パケットＰＫＴ＿１１＿Ｇ３，ＰＫＴ＿１ｎ＿Ｇ３をコグニティブゲートウェイＣＧＷ１に分配するときのＩＰアドレスの対応付けを行なうようにルーティング部６３に指示を出力する。
【０１１９】
ルーティング部６３は、選択部６２からの指示に応じて、ルータ６４から受けたパケットＰＫＴ＿１１＿Ｇ３，ＰＫＴ＿１ｎ＿Ｇ３に含まれるＩＰａｄｄｒｅｓｓ＿２００＿ＧおよびＩＰａｄｄｒｅｓｓ＿ＧＨＲ１＿Ｇを検出するとともに、その検出したＩＰａｄｄｒｅｓｓ＿ＧＨＲ１＿Ｇに対応するＩＰａｄｄｒｅｓｓ＿ＧＨＲ１と、ＩＰａｄｄｒｅｓｓ＿ＧＨＲ１に対応するＩＰａｄｄｒｅｓｓ＿ＣＧＷ１＿Ｇとを情報保持部６１に保持されたテーブルＴＢ４（図６参照）を参照して検出する。そして、ルーティング部６３は、その検出したＩＰａｄｄｒｅｓｓ＿ＧＨＲ１およびＩＰａｄｄｒｅｓｓ＿ＣＧＷ１＿Ｇをルータ６４へ出力する。
【０１２０】
ルータ６４は、ルーティング部６３からＩＰａｄｄｒｅｓｓ＿ＧＨＲ１およびＩＰａｄｄｒｅｓｓ＿ＣＧＷ１＿Ｇを受けると、その受けたＩＰａｄｄｒｅｓｓ＿ＧＨＲ１およびＩＰａｄｄｒｅｓｓ＿ＣＧＷ１＿Ｇをそれぞれ送信元のＩＰアドレスおよび送信先のＩＰアドレスとしてパケットＰＫＴ＿１１＿Ｇ３，ＰＫＴ＿１ｎ＿Ｇ３のＩＰａｄｄｒｅｓｓ＿２００＿Ｇ｜ＩＰａｄｄｒｅｓｓ＿ＧＨＲ１＿Ｇの代わりにパケットＰＫＴ＿１１＿Ｇ３，ＰＫＴ＿１ｎ＿Ｇ３に設定してパケットＰＫＴ＿１１＿Ｇ２，ＰＫＴ＿１ｎ＿Ｇ２（図１０参照）を生成する。
【０１２１】
そして、ルータ６４は、選択部６２からの制御に従って、その生成したパケットＰＫＴ＿１１＿Ｇ２，ＰＫＴ＿１ｎ＿Ｇ２をケーブル１３０を介してコグニティブゲートウェイＣＧＷ１に分配する。
【０１２２】
コグニティブゲートウェイＣＧＷ１のルータ５４は、ケーブル１３０を介してグローバルホームレジスタＧＨＲ１からパケットＰＫＴ＿１１＿Ｇ２，ＰＫＴ＿１ｎ＿Ｇ２を受信し、その受信したパケットＰＫＴ＿１１＿Ｇ２，ＰＫＴ＿１ｎ＿Ｇ２を選択部５２およびルーティング部５３へ出力する。
【０１２３】
選択部５２は、ルータ５４からパケットＰＫＴ＿１１＿Ｇ２，ＰＫＴ＿１ｎ＿Ｇ２を受けると、その受けたパケットＰＫＴ＿１１＿Ｇ２，ＰＫＴ＿１ｎ＿Ｇ２に含まれるＩＰａｄｄｒｅｓｓ＿ＲＦ１／ＩＰａｄｄｒｅｓｓ＿ＣＡＴ１，ＩＰａｄｄｒｅｓｓ＿ＲＦｎ／ＩＰａｄｄｒｅｓｓ＿ＣＡＴ１を参照して、パケットＰＫＴ＿１１＿Ｇ２，ＰＫＴ＿１ｎ＿Ｇ２をコグニティブ端末ＣＡＴ１へ送信することを検知する。
【０１２４】
そして、選択部５２は、情報保持部５１に保持されたコグニティブ情報ＣＧＩＦ２（図９の（ｂ）参照）を参照して、パケットＰＫＴ＿１１＿Ｇ２，ＰＫＴ＿１ｎ＿Ｇ２をコグニティブ端末ＣＡＴ１へ送信するのに適した無線通信部３１，３ｎを無線通信部３１〜３ｎから選択する。また、選択部５２は、情報保持部５１に保持されたテーブルＴＢ３（図５参照）を参照して、選択した無線通信部３１，３ｎがコグニティブ基地局ＣＢＳ１に搭載されていることを検知し、パケットＰＫＴ＿１１＿Ｇ２，ＰＫＴ＿１ｎ＿Ｇ２を全てコグニティブ基地局ＣＢＳ１に分配するようにルータ５４を制御する。更に、選択部５２は、パケットＰＫＴ＿１１＿Ｇ２，ＰＫＴ＿１ｎ＿Ｇ２をコグニティブ基地局ＣＢＳ１に分配するときのＩＰアドレスの対応付けを行なうようにルーティング部５３に指示を出力する。
【０１２５】
ルーティング部５３は、選択部５２からの指示に応じて、ルータ５４から受けたパケットＰＫＴ＿１１＿Ｇ２，ＰＫＴ＿１ｎ＿Ｇ２に含まれるＩＰａｄｄｒｅｓｓ＿ＧＨＲ１＿ＧおよびＩＰａｄｄｒｅｓｓ＿ＣＧＷ１＿Ｇを検出するとともに、その検出したＩＰａｄｄｒｅｓｓ＿ＣＧＷ１＿Ｇに対応するＩＰａｄｄｒｅｓｓ＿ＣＧＷ１と、ＩＰａｄｄｒｅｓｓ＿ＣＧＷ１に対応するＩＰａｄｄｒｅｓｓ＿ＣＢＳ１＿Ｇとを情報保持部５１に保持されたテーブルＴＢ３（図５参照）を参照して検出する。そして、ルーティング部５３は、その検出したＩＰａｄｄｒｅｓｓ＿ＣＧＷ１およびＩＰａｄｄｒｅｓｓ＿ＣＢＳ１＿Ｇをルータ５４へ出力する。
【０１２６】
ルータ５４は、ルーティング部５３からＩＰａｄｄｒｅｓｓ＿ＣＧＷ１およびＩＰａｄｄｒｅｓｓ＿ＣＢＳ１＿Ｇを受けると、その受けたＩＰａｄｄｒｅｓｓ＿ＣＧＷ１およびＩＰａｄｄｒｅｓｓ＿ＣＢＳ１＿Ｇをそれぞれ送信元のＩＰアドレスおよび送信先のＩＰアドレスとしてパケットＰＫＴ＿１１＿Ｇ２，ＰＫＴ＿１ｎ＿Ｇ２のＩＰａｄｄｒｅｓｓ＿ＧＨＲ１｜ＩＰａｄｄｒｅｓｓ＿ＣＧＷ１＿Ｇの代わりにパケットＰＫＴ＿１１＿Ｇ２，ＰＫＴ＿１ｎ＿Ｇ２に設定してパケットＰＫＴ＿１１＿Ｇ１，ＰＫＴ＿１ｎ＿Ｇ１（図１０参照）を生成する。
【０１２７】
そして、ルータ５４は、選択部５２からの制御に従って、その生成したパケットＰＫＴ＿１１＿Ｇ１，ＰＫＴ＿１ｎ＿Ｇ１をケーブル１１０を介してコグニティブ基地局ＣＢＳ１に分配する。
【０１２８】
コグニティブ基地局ＣＢＳ１の切換部４４は、ケーブル１１０を介してパケットＰＫＴ＿１１＿Ｇ１，ＰＫＴ＿１ｎ＿Ｇ１を受信し、その受信したパケットＰＫＴ＿１１＿Ｇ１，ＰＫＴ＿１ｎ＿Ｇ１を選択部４２およびルーティング部４３へ出力する。
【０１２９】
選択部４２は、切換部４４からパケットＰＫＴ＿１１＿Ｇ１，ＰＫＴ＿１ｎ＿Ｇ１を受けると、その受けたパケットＰＫＴ＿１１＿Ｇ１，ＰＫＴ＿１ｎ＿Ｇ１に含まれるＩＰａｄｄｒｅｓｓ＿ＲＦ１／ＩＰａｄｄｒｅｓｓ＿ＣＡＴ１，ＩＰａｄｄｒｅｓｓ＿ＲＦｎ／ＩＰａｄｄｒｅｓｓ＿ＣＡＴ１を参照して、パケットＰＫＴ＿１１＿Ｇ１，ＰＫＴ＿１ｎ＿Ｇ１をコグニティブ端末ＣＡＴ１へ送信することを検知する。
【０１３０】
そして、選択部４２は、情報保持部４１に保持されたコグニティブ情報ＣＧＩＦ２（図９の（ｂ）参照）を参照して、パケットＰＫＴ＿１１＿Ｇ１，ＰＫＴ＿１ｎ＿Ｇ１をコグニティブ端末ＣＡＴ１へ送信するのに適した無線通信部３１，３ｎを無線通信部３１〜３ｎから選択する。また、選択部４２は、情報保持部４１に保持されたテーブルＴＢ２（図４参照）を参照して、パケットＰＫＴ＿１１＿Ｇ１を無線通信部３１に分配し、パケットＰＫＴ＿１ｎ＿Ｇ１を無線通信部３ｎに分配するように切換器４４を制御する。更に、選択部４２は、パケットＰＫＴ＿１１＿Ｇ１，ＰＫＴ＿１ｎ＿Ｇ１を無線通信部３１，３ｎに分配するときのＩＰアドレスの対応付けを行なうようにルーティング部４３に指示を出力する。
【０１３１】
ルーティング部４３は、選択部４２からの指示に応じて、切換部４４から受けたパケットＰＫＴ＿１１＿Ｇ１，ＰＫＴ＿１ｎ＿Ｇ１に含まれるＩＰａｄｄｒｅｓｓ＿ＣＧＷ１＿ＧおよびＩＰａｄｄｒｅｓｓ＿ＣＢＳ１＿Ｇを検出するとともに、その検出したＩＰａｄｄｒｅｓｓ＿ＣＢＳ１＿Ｇに対応するＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１を情報保持部５１に保持されたテーブルＴＢ３（図４参照）を参照して検出するとともに、その検出したＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１がそれぞれパケットＰＫＴ＿１１＿Ｇ１，ＰＫＴ＿１ｎ＿Ｇ１に含まれるＩＰａｄｄｒｅｓｓ＿ＲＦ１／ＩＰａｄｄｒｅｓｓ＿ＣＡＴ１およびＩＰａｄｄｒｅｓｓ＿ＲＦｎ／ＩＰａｄｄｒｅｓｓ＿ＣＡＴ１に対応することを情報保持部５１に保持されたテーブルＴＢ３（図４参照）を参照して検出する。そして、ルーティング部４３は、その検出したＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１を切換部４４へ出力する。
【０１３２】
切換部４４は、ルーティング部４３からＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１を受けると、その受けたＩＰａｄｄｒｅｓｓ＿ＲＦ１／ＩＰａｄｄｒｅｓｓ＿ＣＢＳ１およびＩＰａｄｄｒｅｓｓ＿ＲＦｎ／ＩＰａｄｄｒｅｓｓ＿ＣＢＳ１を送信元のＩＰアドレスとしてパケットＰＫＴ＿１１＿Ｇ１，ＰＫＴ＿１ｎ＿Ｇ１のＩＰａｄｄｒｅｓｓ＿ＣＧＷ１｜ＩＰａｄｄｒｅｓｓ＿ＣＢＳ１＿Ｇの代わりにパケットＰＫＴ＿１１＿Ｇ１，ＰＫＴ＿１ｎ＿Ｇ１に設定してパケットＰＫＴ＿１１，ＰＫＴ＿１ｎ（図１０参照）を生成する。
【０１３３】
そして、切換部４４は、選択部４２からの制御に従って、その生成したパケットＰＫＴ＿１１を無線通信部３１に分配し、パケットＰＫＴ＿１ｎを無線通信部３ｎに分配する。そして、無線通信部３１は、パケットＰＫＴ＿１１を無線通信によって無線通信部１１へ送信し、無線通信部３ｎは、パケットＰＫＴ＿１ｎを無線通信によって無線通信部３ｎへ送信する。
【０１３４】
コグニティブ端末ＣＡＴ１の無線通信部１１は、無線通信によってパケットＰＫＴ＿１１を受信し、その受信したパケットＰＫＴ＿１１を切換部２４へ出力する。また、無線通信部１ｎは、無線通信によってパケットＰＫＴ＿１ｎを受信し、その受信したパケットＰＫＴ＿１ｎを切換部２４へ出力する。
【０１３５】
切換部２４は、無線通信部１１，１ｎから受けた複数のパケットＰＫＴ＿１１，ＰＫＴ１ｎを所定の順序に配列して集約し、その集約したパケットＰＫＴ＿１１，ＰＫＴ＿１ｎをアプリケーション部２１へ出力する。
【０１３６】
これによって、コグニティブ端末ＣＡＴ１は、他のネットワーク２００に存在する他の端末と双方向の通信を行なう。
【０１３７】
上述した通信においては、図８に示す情報保持部２２，４１，５１，６１は、同じコグニティブ情報ＣＧＩＦ１，ＣＧＩＦ２を共有しており、選択部２３，４２，５２，６２は、情報保持部２２，４１，５１，６１によって共有されたコグニティブ情報ＣＧＩＦ１，ＣＧＩＦ２に基づいて、パケットＰＫＴ＿１１，ＰＫＴ＿１ｎ；ＰＫＴ＿１１＿Ｇ１，ＰＫＴ＿１ｎ＿Ｇ１；ＰＫＴ＿１１＿Ｇ２，ＰＫＴ＿１ｎ＿Ｇ２；ＰＫＴ＿１１＿Ｇ３，ＰＫＴ＿１ｎ＿Ｇ３の分配および集約を行なう。即ち、選択部２３，４２，５２，６２は、連携してパケットＰＫＴ＿１１，ＰＫＴ＿１ｎ；ＰＫＴ＿１１＿Ｇ１，ＰＫＴ＿１ｎ＿Ｇ１；ＰＫＴ＿１１＿Ｇ２，ＰＫＴ＿１ｎ＿Ｇ２；ＰＫＴ＿１１＿Ｇ３，ＰＫＴ＿１ｎ＿Ｇ３の分配および集約を行なう。
【０１３８】
［第２の通信方法］
図１１は、通信ネットワークシステム１００における通信方法の第２の例を示す図である。また、図１２は、図１１に示す情報保持部２２，４１，５１，６１が保持するコグニティブ情報を示す図である。更に、図１３は、パケットの例を示す他の図である。図１１においては、コグニティブ端末ＣＡＴ１が他のネットワーク２００に含まれる端末とコグニティブ基地局ＣＢＳ１およびコグニティブアクセスポイントＣＡＰ１を介して通信を行なう場合について説明する。この場合、コグニティブ端末ＣＡＴ１は、２個の無線通信部１１，１ｎを用いて通信を行なうものとする。また、情報保持部２２，４１，５１，６１は、図１２に示すコグニティブ情報ＣＧＩＦ３〜ＣＧＩＦ５を保持するものとする。
【０１３９】
コグニティブ端末ＣＡＴ１の選択部２３は、情報保持部２２に保持されたコグニティブ情報ＣＧＩＦ３（図１２の（ａ）参照）を参照して、無線通信部１２〜１ｎ−１の電波環境が混んでおり、無線通信部１１，１ｎの電波環境が空いていることを検知し、コグニティブ情報ＣＧＩＦ４（図１２の（ｂ）参照）を参照して、コグニティブ基地局ＣＢＳ１の無線通信部３１が空いており、コグニティブ基地局ＣＢＳ１の無線通信部３２〜３ｎが混んでいることを検知し、更に、コグニティブ情報ＣＧＩＦ５（図１２の（ｃ）参照）を参照して、コグニティブアクセスポイントＣＡＰ１の無線通信部３１〜３ｎ−１が混んでおり、コグニティブアクセスポイントＣＡＰ１の無線通信部３ｎが空いていることを検知する。また、コグニティブ端末ＣＡＴ１の選択部２３は、アプリケーション部２１からデータの伝送速度からなる要求事項を受け、ａ［ｂｐｓ］およびｄ［ｂｐｓ］の伝送速度がアプリケーション部２１から要求された伝送速度を満たすことを確認する。
【０１４０】
そして、コグニティブ端末ＣＡＴ１の選択部２３は、無線通信を行なう無線通信部として無線通信部１１，１ｎを選択し、無線通信部１１，１ｎによって無線通信を行なうように切換部２４を制御する。
【０１４１】
アプリケーション部２１は、データを含むパケットを生成し、その生成したパケットを切換部２４へ出力する。切換部２４は、選択部２３からの制御に従って無線通信部１１，１ｎを用いて無線通信することを検知する。そして、切換部２４は、アプリケーション部２１からパケットを受けると、情報保持部２２に保持されたテーブルＴＢ１（図３参照）を参照して、ＩＰａｄｄｒｅｓｓ＿ＲＦ１／ＩＰａｄｄｒｅｓｓ＿ＣＡＴ１およびＩＰａｄｄｒｅｓｓ＿ＲＦ１／ＩＰａｄｄｒｅｓｓ＿ＣＢＳ１を読み出し、その読み出したＩＰａｄｄｒｅｓｓ＿ＲＦ１／ＩＰａｄｄｒｅｓｓ＿ＣＡＴ１およびＩＰａｄｄｒｅｓｓ＿ＲＦ１／ＩＰａｄｄｒｅｓｓ＿ＣＢＳ１を付加して無線通信部１１に分配するパケットＰＫＴ＿１１（図１３参照）を生成する。
【０１４２】
また、切換部２４は、テーブルＴＢ１（図３参照）を参照して、ＩＰａｄｄｒｅｓｓ＿ＲＦｎ／ＩＰａｄｄｒｅｓｓ＿ＣＡＴ１およびＩＰａｄｄｒｅｓｓ＿ＲＦｎ／ＩＰａｄｄｒｅｓｓ＿ＣＡＰ１を読み出し、その読み出したＩＰａｄｄｒｅｓｓ＿ＲＦｎ／ＩＰａｄｄｒｅｓｓ＿ＣＡＴ１およびＩＰａｄｄｒｅｓｓ＿ＲＦｎ／ＩＰａｄｄｒｅｓｓ＿ＣＡＰ１を付加して無線通信部１ｎに分配するパケットＰＫＴ＿１ｎ’（図１３参照）を生成する。
【０１４３】
切換部２４は、パケットＰＫＴ＿１１，ＰＫＴ＿１ｎ’を生成すると、その生成したパケットＰＫＴ＿１１を無線通信部１１に分配し、パケットＰＫＴ＿１ｎ’を無線通信部１ｎに分配する。
【０１４４】
無線通信部１１は、切換部２４からパケットＰＫＴ＿１１を受けると、その受けたパケットＰＫＴ＿１１をＡ帯域の周波数およびａ［ｂｐｓ］の伝送速度で無線通信によってコグニティブ基地局ＣＢＳ１の無線通信部３１へ送信する。また、無線通信部１ｎは、切換部２４からパケットＰＫＴ＿１ｎ’を受けると、その受けたパケットＰＫＴ＿１ｎ’をＤ帯域の周波数およびｄ［ｂｐｓ］の伝送速度で無線通信によってコグニティブアクセスポイントＣＡＰ１の無線通信部３ｎへ送信する。
【０１４５】
このように、コグニティブ端末ＣＡＴ１は、コグニティブ情報ＣＧＩＦ３〜ＣＧＩＦ５に基づいて、アプリケーション部２１の要求を満たす無線通信部１１，１ｎを選択し、その選択した無線通信部１１，１ｎを用いてパケットＰＫＴ＿１１，ＰＫＴ＿１ｎ’をそれぞれコグニティブ基地局ＣＢＳ１およびコグニティブアクセスポイントＣＡＰ１へ送信する。
【０１４６】
コグニティブ基地局ＣＢＳ１の無線通信部３１は、無線通信部１１が無線通信によって送信したパケットＰＫＴ＿１１を受信し、その受信したパケットＰＫＴ＿１１を切換部４４へ出力する。
【０１４７】
そして、コグニティブ基地局ＣＢＳ１の切換部４４は、無線通信部３１から受けた複数のパケットＰＫＴ＿１１をそのままの順序に配列して複数のパケットＰＫＴ＿１１を集約する。その後、コグニティブ端末ＣＡＴ１の切換部４４は、集約した複数のパケットＰＫＴ＿１１をルーティング部４３へ出力する。
【０１４８】
コグニティブ基地局ＣＢＳ１のルーティング部４３は、複数のパケットＰＫＴ＿１１を受けると、その受けたパケットＰＫＴ＿１１に含まれるＩＰａｄｄｒｅｓｓ＿ＲＦ１／ＩＰａｄｄｒｅｓｓ＿ＣＢＳ１を検出し、その検出したＩＰａｄｄｒｅｓｓ＿ＲＦ１／ＩＰａｄｄｒｅｓｓ＿ＣＢＳ１に対応するＩＰａｄｄｒｅｓｓ＿ＣＢＳ１＿Ｇと、ＩＰａｄｄｒｅｓｓ＿ＣＢＳ１＿Ｇに対応するＩＰａｄｄｒｅｓｓ＿ＣＧＷ１とを情報保持部４１に保持されたテーブルＴＢ２（図４参照）を参照して検出する。そして、コグニティブ基地局ＣＢＳ１のルーティング部４３は、その検出したＩＰａｄｄｒｅｓｓ＿ＣＢＳ１＿ＧおよびＩＰａｄｄｒｅｓｓ＿ＣＧＷ１を切換部４４へ出力する。
【０１４９】
コグニティブ基地局ＣＢＳ１の切換部４４は、ルーティング部４３からＩＰａｄｄｒｅｓｓ＿ＣＢＳ１＿ＧおよびＩＰａｄｄｒｅｓｓ＿ＣＧＷ１を受けると、その受けたＩＰａｄｄｒｅｓｓ＿ＣＢＳ１＿ＧおよびＩＰａｄｄｒｅｓｓ＿ＣＧＷ１をそれぞれ送信元のＩＰアドレスおよび送信先のＩＰアドレスとしてパケットＰＫＴ＿１１のＩＰａｄｄｒｅｓｓ＿ＲＦ１／ＩＰａｄｄｒｅｓｓ＿ＣＢＳ１の代わりにパケットＰＫＴ＿１１に設定してパケットＰＫＴ＿１１＿Ｇ１（図１３参照）を生成し、その生成したパケットＰＫＴ＿１１＿Ｇ１をケーブル１１０を介してコグニティブゲートウェイＣＧＷ１へ送信する。
【０１５０】
また、コグニティブアクセスポイントＣＡＰ１の無線通信部３ｎは、無線通信部１ｎが無線通信によって送信したパケットＰＫＴ＿１ｎ’を受信し、その受信したパケットＰＫＴ＿１ｎ’を切換部４４へ出力する。
【０１５１】
そして、コグニティブアクセスポイントＣＡＰ１の切換部４４は、無線通信部３ｎから受けた複数のパケットＰＫＴ＿１ｎ’をそのままの順序に配列して複数のパケットＰＫＴ＿１ｎ’を集約する。その後、コグニティブアクセスポイントＣＡＰ１の切換部４４は、集約した複数のパケットＰＫＴ＿１ｎ’をルーティング部４３へ出力する。
【０１５２】
コグニティブアクセスポイントＣＡＰ１のルーティング部４３は、複数のパケットＰＫＴ＿１ｎ’を受けると、その受けたパケットＰＫＴ＿１ｎ’に含まれるＩＰａｄｄｒｅｓｓ＿ＲＦｎ／ＩＰａｄｄｒｅｓｓ＿ＣＡＰ１に対応するＩＰａｄｄｒｅｓｓ＿ＣＡＰ１＿Ｇと、ＩＰａｄｄｒｅｓｓ＿ＣＡＰ１＿Ｇに対応するＩＰａｄｄｒｅｓｓ＿ＣＧＷ１とを情報保持部４１に保持されたテーブルＴＢ２（図４参照）を参照して検出する。そして、コグニティブアクセスポイントＣＡＰ１のルーティング部４３は、その検出したＩＰａｄｄｒｅｓｓ＿ＣＡＰ１＿ＧおよびＩＰａｄｄｒｅｓｓ＿ＣＧＷ１を切換部４４へ出力する。
【０１５３】
コグニティブアクセスポイントＣＡＰ１の切換部４４は、ルーティング部４３からＩＰａｄｄｒｅｓｓ＿ＣＡＰ１＿ＧおよびＩＰａｄｄｒｅｓｓ＿ＣＧＷ１を受けると、その受けたＩＰａｄｄｒｅｓｓ＿ＣＡＰ１＿ＧおよびＩＰａｄｄｒｅｓｓ＿ＣＧＷ１をそれぞれ送信元のＩＰアドレスおよび送信先のＩＰアドレスとしてパケットＰＫＴ＿１ｎ’のＩＰａｄｄｒｅｓｓ＿ＲＦｎ／ＩＰａｄｄｒｅｓｓ＿ＣＡＰ１の代わりにパケットＰＫＴ＿１ｎ’に設定してパケットＰＫＴ＿１ｎ＿Ｇ１’（図１３参照）を生成し、その生成したパケットＰＫＴ＿１ｎ＿Ｇ１’をケーブル１２０を介してコグニティブゲートウェイＣＧＷ１へ送信する。
【０１５４】
コグニティブゲートウェイＣＧＷ１のルータ５４は、ケーブル１１０を介してパケットＰＫＴ＿１１＿Ｇ１を受信し、ケーブル１２０を介してパケットＰＫＴ＿１ｎ＿Ｇ１’を受信し、その受信したパケットＰＫＴ＿１１＿Ｇ１，ＰＫＴ＿１ｎ＿Ｇ１’をルーティング部５３へ出力する。
【０１５５】
ルーティング部５３は、ルータ５４からパケットＰＫＴ＿１１＿Ｇ１，ＰＫＴ＿１ｎ＿Ｇ１’を受けると、その受けたパケットＰＫＴ＿１１＿Ｇ１，ＰＫＴ＿１ｎ＿Ｇ１’に含まれるＩＰａｄｄｒｅｓｓ＿ＣＧＷ１を検出し、その検出したＩＰａｄｄｒｅｓｓ＿ＣＧＷ１に対応するＩＰａｄｄｒｅｓｓ＿ＣＧＷ１＿Ｇと、ＩＰａｄｄｒｅｓｓ＿ＣＧＷ１＿Ｇに対応するＩＰａｄｄｒｅｓｓ＿ＧＨＲ１とを情報保持部５１に保持されたテーブルＴＢ３（図５参照）を参照して検出する。そして、ルーティング部５３は、その検出したＩＰａｄｄｒｅｓｓ＿ＣＧＷ１＿ＧおよびＩＰａｄｄｒｅｓｓ＿ＧＨＲ１をルータ５４へ出力する。
【０１５６】
ルータ５４は、ルーティング部５３からＩＰａｄｄｒｅｓｓ＿ＣＧＷ１＿ＧおよびＩＰａｄｄｒｅｓｓ＿ＧＨＲ１を受けると、その受けたＩＰａｄｄｒｅｓｓ＿ＣＧＷ１＿ＧおよびＩＰａｄｄｒｅｓｓ＿ＧＨＲ１をそれぞれ送信元のＩＰアドレスおよび送信先のＩＰアドレスとしてパケットＰＫＴ＿１１＿Ｇ１のＩＰａｄｄｒｅｓｓ＿ＣＧＷ１｜ＩＰａｄｄｒｅｓｓ＿ＣＢＳ１＿Ｇの代わりにパケットＰＫＴ＿１１＿Ｇ１に設定してパケットＰＫＴ＿１１＿Ｇ２（図１３参照）を生成する。また、ルータ５４は、ルーティング部５３からＩＰａｄｄｒｅｓｓ＿ＣＧＷ１＿ＧおよびＩＰａｄｄｒｅｓｓ＿ＧＨＲ１を受けると、その受けたＩＰａｄｄｒｅｓｓ＿ＣＧＷ１＿ＧおよびＩＰａｄｄｒｅｓｓ＿ＧＨＲ１をそれぞれ送信元のＩＰアドレスおよび送信先のＩＰアドレスとしてパケットＰＫＴ＿１１＿Ｇ１’のＩＰａｄｄｒｅｓｓ＿ＣＧＷ１｜ＩＰａｄｄｒｅｓｓ＿ＣＡＰ１＿Ｇの代わりにパケットＰＫＴ＿１１＿Ｇ１’に設定してパケットＰＫＴ＿１ｎ＿Ｇ２（図１３参照）を生成する。そして、ルータ５４は、その生成したパケットＰＫＴ＿１１＿Ｇ２，ＰＫＴ＿１ｎ＿Ｇ２をケーブル１３０を介してグローバルホームレジスタＧＨＲ１へ送信する。
【０１５７】
その後、グローバルホームレジスタＧＨＲ１は、第１の通信方法において説明した動作に従ってパケットＰＫＴ＿１１＿Ｇ３，ＰＫＴ＿１ｎ＿Ｇ３（図１３参照）を生成し、その生成したパケットＰＫＴ＿１１＿Ｇ３，ＰＫＴ＿１ｎ＿Ｇ３をケーブル１５０を介して他のネットワーク２００へ送信する。
【０１５８】
これによって、コグニティブ端末ＣＡＴ１は、コグニティブ基地局ＣＢＳ１、コグニティブアクセスポイントＣＡＰ１、コグニティブゲートウェイＣＧＷ１およびグローバルホームレジスタＧＨＲ１を介して他のネットワーク２００へパケットＰＫＴ１１，ＰＫＴ１ｎ’を送信できる。
【０１５９】
その後、グローバルホームレジスタＧＨＲ１は、ケーブル１５０を介して他のネットワーク２００からパケットＰＫＴ＿１１＿Ｇ３，ＰＫＴ＿１ｎ＿Ｇ３を受信し、第１の通信方法において説明した動作に従って、その受信したパケットＰＫＴ＿１１＿Ｇ３，ＰＫＴ＿１ｎ＿Ｇ３をパケットＰＫＴ＿１１＿Ｇ２，ＰＫＴ＿１ｎ＿Ｇ２に変え、その変えたパケットＰＫＴ＿１１＿Ｇ２，ＰＫＴ＿１ｎ＿Ｇ２を全てコグニティブゲートウェイＣＧＷ１に分配する。
【０１６０】
コグニティブゲートウェイＣＧＷ１のルータ５４は、ケーブル１３０を介してグローバルホームレジスタＧＨＲ１からパケットＰＫＴ＿１１＿Ｇ２，ＰＫＴ＿１ｎ＿Ｇ２を受信し、その受信したパケットＰＫＴ＿１１＿Ｇ２，ＰＫＴ＿１ｎ＿Ｇ２を選択部５２およびルーティング部５３へ出力する。
【０１６１】
選択部５２は、ルータ５４からパケットＰＫＴ＿１１＿Ｇ２，ＰＫＴ＿１ｎ＿Ｇ２を受けると、その受けたパケットＰＫＴ＿１１＿Ｇ２，ＰＫＴ＿１ｎ＿Ｇ２に含まれるＩＰａｄｄｒｅｓｓ＿ＲＦ１／ＩＰａｄｄｒｅｓｓ＿ＣＡＴ１，ＩＰａｄｄｒｅｓｓ＿ＲＦｎ／ＩＰａｄｄｒｅｓｓ＿ＣＡＴ１を参照して、パケットＰＫＴ＿１１＿Ｇ２，ＰＫＴ＿１ｎ＿Ｇ２をコグニティブ端末ＣＡＴ１へ送信することを検知する。
【０１６２】
そして、選択部５２は、情報保持部５１に保持されたコグニティブ情報ＣＧＩＦ４，ＣＧＩＦ５（図１２の（ｂ），（ｃ）参照）を参照して、パケットＰＫＴ＿１１＿Ｇ２をコグニティブ端末ＣＡＴ１へ送信するのに適した無線通信部３１をコグニティブ基地局ＣＢＳ１の無線通信部３１〜３ｎから選択し、パケットＰＫＴ＿１１＿Ｇ２をコグニティブ端末ＣＡＴ１へ送信するのに適した無線通信部３ｎをコグニティブアクセスポイントＣＡＰ１の無線通信部３１〜３ｎから選択する。
【０１６３】
また、選択部５２は、情報保持部５１に保持されたテーブルＴＢ３（図５参照）を参照して、選択した無線通信部３１がコグニティブ基地局ＣＢＳ１に搭載され、選択した無線通信部３ｎがコグニティブアクセスポイントＣＡＰ１に搭載されていることを検知し、パケットＰＫＴ＿１１＿Ｇ２，ＰＫＴ＿１ｎ＿Ｇ２をそれぞれコグニティブ基地局ＣＢＳ１およびコグニティブアクセスポイントＣＡＰ１に分配するようにルータ５４を制御する。更に、選択部５２は、パケットＰＫＴ＿１１＿Ｇ２，ＰＫＴ＿１ｎ＿Ｇ２をそれぞれコグニティブ基地局ＣＢＳ１およびコグニティブアクセスポイントＣＡＰ１に分配するときのＩＰアドレスの対応付けを行なうようにルーティング部５３に指示を出力する。
【０１６４】
ルーティング部５３は、選択部５２からの指示に応じて、ルータ５４から受けたパケットＰＫＴ＿１１＿Ｇ２，ＰＫＴ＿１ｎ＿Ｇ２に含まれるＩＰａｄｄｒｅｓｓ＿ＧＨＲ１＿ＧおよびＩＰａｄｄｒｅｓｓ＿ＣＧＷ１＿Ｇを検出するとともに、その検出したＩＰａｄｄｒｅｓｓ＿ＣＧＷ１＿Ｇに対応するＩＰａｄｄｒｅｓｓ＿ＣＧＷ１と、ＩＰａｄｄｒｅｓｓ＿ＣＧＷ１に対応するＩＰａｄｄｒｅｓｓ＿ＣＢＳ１＿ＧおよびＩＰａｄｄｒｅｓｓ＿ＣＡＰ１＿Ｇとを情報保持部５１に保持されたテーブルＴＢ３（図５参照）を参照して検出する。そして、ルーティング部５３は、その検出したＩＰａｄｄｒｅｓｓ＿ＣＧＷ１、ＩＰａｄｄｒｅｓｓ＿ＣＢＳ１＿ＧおよびＩＰａｄｄｒｅｓｓ＿ＣＡＰ１＿Ｇをルータ５４へ出力する。
【０１６５】
ルータ５４は、ルーティング部５３からＩＰａｄｄｒｅｓｓ＿ＣＧＷ１、ＩＰａｄｄｒｅｓｓ＿ＣＢＳ１＿ＧおよびＩＰａｄｄｒｅｓｓ＿ＣＡＰ１＿Ｇを受けると、その受けたＩＰａｄｄｒｅｓｓ＿ＣＧＷ１およびＩＰａｄｄｒｅｓｓ＿ＣＢＳ１＿Ｇをそれぞれ送信元のＩＰアドレスおよび送信先のＩＰアドレスとしてパケットＰＫＴ＿１１＿Ｇ２のＩＰａｄｄｒｅｓｓ＿ＧＨＲ１｜ＩＰａｄｄｒｅｓｓ＿ＣＧＷ１＿Ｇの代わりにパケットＰＫＴ＿１１＿Ｇ２に設定してパケットＰＫＴ＿１１＿Ｇ１（図１３参照）を生成し、ＩＰａｄｄｒｅｓｓ＿ＣＧＷ１およびＩＰａｄｄｒｅｓｓ＿ＣＡＰ１＿Ｇをそれぞれ送信元のＩＰアドレスおよび送信先のＩＰアドレスとしてパケットＰＫＴ＿１ｎ＿Ｇ２のＩＰａｄｄｒｅｓｓ＿ＧＨＲ１｜ＩＰａｄｄｒｅｓｓ＿ＣＧＷ１＿Ｇの代わりにパケットＰＫＴ＿１ｎ＿Ｇ２に設定してパケットＰＫＴ＿１ｎ＿Ｇ１’（図１３参照）を生成する。
【０１６６】
そして、ルータ５４は、選択部５２からの制御に従って、その生成したパケットＰＫＴ＿１１＿Ｇ１をケーブル１１０を介してコグニティブ基地局ＣＢＳ１に分配し、その生成したパケットＰＫＴ＿１ｎ＿Ｇ１’をケーブル１２０を介してコグニティブアクセスポイントＣＡＰ１に分配する。
【０１６７】
コグニティブ基地局ＣＢＳ１の切換部４４は、ケーブル１１０を介してパケットＰＫＴ＿１１＿Ｇ１を受信し、その受信したパケットＰＫＴ＿１１＿Ｇ１を選択部４２およびルーティング部４３へ出力する。
【０１６８】
コグニティブ基地局ＣＢＳ１の選択部４２は、切換部４４からパケットＰＫＴ＿１１＿Ｇ１を受けると、その受けたパケットＰＫＴ＿１１＿Ｇ１に含まれるＩＰａｄｄｒｅｓｓ＿ＲＦ１／ＩＰａｄｄｒｅｓｓ＿ＣＡＴ１を参照して、パケットＰＫＴ＿１１＿Ｇ１をコグニティブ端末ＣＡＴ１へ送信することを検知する。
【０１６９】
そして、コグニティブ基地局ＣＢＳ１の選択部４２は、情報保持部４１に保持されたコグニティブ情報ＣＧＩＦ４（図１２の（ｂ）参照）を参照して、パケットＰＫＴ＿１１＿Ｇ１をコグニティブ端末ＣＡＴ１へ送信するのに適した無線通信部３１を無線通信部３１〜３ｎから選択する。また、コグニティブ基地局ＣＢＳ１の選択部４２は、情報保持部４１に保持されたテーブルＴＢ２（図４参照）を参照して、パケットＰＫＴ＿１１＿Ｇ１を無線通信部３１に分配するように切換器４４を制御する。更に、コグニティブ基地局ＣＢＳ１の選択部４２は、パケットＰＫＴ＿１１＿Ｇ１を無線通信部３１に分配するときのＩＰアドレスの対応付けを行なうようにルーティング部４３に指示を出力する。
【０１７０】
コグニティブ基地局ＣＢＳ１のルーティング部４３は、選択部４２からの指示に応じて、切換部４４から受けたパケットＰＫＴ＿１１＿Ｇ１に含まれるＩＰａｄｄｒｅｓｓ＿ＣＧＷ１＿ＧおよびＩＰａｄｄｒｅｓｓ＿ＣＢＳ１＿Ｇを検出するとともに、その検出したＩＰａｄｄｒｅｓｓ＿ＣＢＳ１＿Ｇに対応するＩＰａｄｄｒｅｓｓ＿ＲＦ１／ＩＰａｄｄｒｅｓｓ＿ＣＢＳ１を情報保持部５１に保持されたテーブルＴＢ３（図４参照）を参照して検出するとともに、その検出したＩＰａｄｄｒｅｓｓ＿ＲＦ１／ＩＰａｄｄｒｅｓｓ＿ＣＢＳ１がパケットＰＫＴ＿１１＿Ｇ１に含まれるＩＰａｄｄｒｅｓｓ＿ＲＦ１／ＩＰａｄｄｒｅｓｓ＿ＣＡＴ１に対応することを情報保持部５１に保持されたテーブルＴＢ３（図４参照）を参照して検出する。そして、コグニティブ基地局ＣＢＳ１のルーティング部４３は、その検出したＩＰａｄｄｒｅｓｓ＿ＲＦ１／ＩＰａｄｄｒｅｓｓ＿ＣＢＳ１を切換部４４へ出力する。
【０１７１】
コグニティブ基地局ＣＢＳ１の切換部４４は、ルーティング部４３からＩＰａｄｄｒｅｓｓ＿ＲＦ１／ＩＰａｄｄｒｅｓｓ＿ＣＢＳ１を受けると、その受けたＩＰａｄｄｒｅｓｓ＿ＲＦ１／ＩＰａｄｄｒｅｓｓ＿ＣＢＳ１を送信元のＩＰアドレスとしてパケットＰＫＴ＿１１＿Ｇ１のＩＰａｄｄｒｅｓｓ＿ＣＧＷ１｜ＩＰａｄｄｒｅｓｓ＿ＣＢＳ１＿Ｇの代わりにパケットＰＫＴ＿１１＿Ｇ１に設定してパケットＰＫＴ＿１１（図１３参照）を生成する。
【０１７２】
そして、コグニティブ基地局ＣＢＳ１の切換部４４は、選択部４２からの制御に従って、その生成したパケットＰＫＴ＿１１を無線通信部３１に分配し、無線通信部３１は、パケットＰＫＴ＿１１を無線通信によって無線通信部１１へ送信する。
【０１７３】
また、コグニティブアクセスポイントＣＡＰ１の切換部４４は、ケーブル１２０を介してパケットＰＫＴ＿１１＿Ｇ１’を受信し、その受信したパケットＰＫＴ＿１１＿Ｇ１’を選択部４２およびルーティング部４３へ出力する。
【０１７４】
コグニティブアクセスポイントＣＡＰ１の選択部４２は、切換部４４からパケットＰＫＴ＿１１＿Ｇ１’を受けると、その受けたパケットＰＫＴ＿１１＿Ｇ１’に含まれるＩＰａｄｄｒｅｓｓ＿ＲＦｎ／ＩＰａｄｄｒｅｓｓ＿ＣＡＴ１を参照して、パケットＰＫＴ＿１１＿Ｇ１’をコグニティブ端末ＣＡＴ１へ送信することを検知する。
【０１７５】
そして、コグニティブアクセスポイントＣＡＰ１の選択部４２は、情報保持部４１に保持されたコグニティブ情報ＣＧＩＦ５（図１３の（ｃ）参照）を参照して、パケットＰＫＴ＿１１＿Ｇ１’をコグニティブ端末ＣＡＴ１へ送信するのに適した無線通信部３ｎを無線通信部３１〜３ｎから選択する。また、コグニティブアクセスポイントＣＡＰ１の選択部４２は、情報保持部４１に保持されたテーブルＴＢ２（図４参照）を参照して、パケットＰＫＴ＿１１＿Ｇ１’を無線通信部３ｎに分配するように切換器４４を制御する。更に、コグニティブアクセスポイントＣＡＰ１の選択部４２は、パケットＰＫＴ＿１１＿Ｇ１’を無線通信部３ｎに分配するときのＩＰアドレスの対応付けを行なうようにルーティング部４３に指示を出力する。
【０１７６】
コグニティブアクセスポイントＣＡＰ１のルーティング部４３は、選択部４２からの指示に応じて、切換部４４から受けたパケットＰＫＴ＿１１＿Ｇ１’に含まれるＩＰａｄｄｒｅｓｓ＿ＣＧＷ１＿ＧおよびＩＰａｄｄｒｅｓｓ＿ＣＡＰ１＿Ｇを検出するとともに、その検出したＩＰａｄｄｒｅｓｓ＿ＣＡＰ１＿Ｇに対応するＩＰａｄｄｒｅｓｓ＿ＲＦｎ／ＩＰａｄｄｒｅｓｓ＿ＣＡＰ１を情報保持部５１に保持されたテーブルＴＢ３（図４参照）を参照して検出するとともに、その検出したＩＰａｄｄｒｅｓｓ＿ＲＦｎ／ＩＰａｄｄｒｅｓｓ＿ＣＡＰ１がパケットＰＫＴ＿１１＿Ｇ１’に含まれるＩＰａｄｄｒｅｓｓ＿ＲＦｎ／ＩＰａｄｄｒｅｓｓ＿ＣＡＴ１に対応することを情報保持部５１に保持されたテーブルＴＢ３（図４参照）を参照して検出する。そして、コグニティブアクセスポイントＣＡＰ１のルーティング部４３は、その検出したＩＰａｄｄｒｅｓｓ＿ＲＦｎ／ＩＰａｄｄｒｅｓｓ＿ＣＡＰ１を切換部４４へ出力する。
【０１７７】
コグニティブアクセスポイントＣＡＰ１の切換部４４は、ルーティング部４３からＩＰａｄｄｒｅｓｓ＿ＲＦｎ／ＩＰａｄｄｒｅｓｓ＿ＣＡＰ１を受けると、その受けたＩＰａｄｄｒｅｓｓ＿ＲＦｎ／ＩＰａｄｄｒｅｓｓ＿ＣＡＰ１を送信元のＩＰアドレスとしてパケットＰＫＴ＿１１＿Ｇ１’のＩＰａｄｄｒｅｓｓ＿ＣＧＷ１｜ＩＰａｄｄｒｅｓｓ＿ＣＡＰ１＿Ｇの代わりにパケットＰＫＴ＿１１＿Ｇ１’に設定してパケットＰＫＴ＿１ｎ’（図１３参照）を生成する。
【０１７８】
そして、コグニティブアクセスポイントＣＡＰ１の切換部４４は、選択部４２からの制御に従って、その生成したパケットＰＫＴ＿１ｎ’を無線通信部３ｎに分配し、無線通信部３ｎは、パケットＰＫＴ＿１ｎ’を無線通信によって無線通信部１ｎへ送信する。
【０１７９】
コグニティブ端末ＣＡＴ１の無線通信部１１は、無線通信によってパケットＰＫＴ＿１１を受信し、その受信したパケットＰＫＴ＿１１を切換部２４へ出力する。また、無線通信部１ｎは、無線通信によってパケットＰＫＴ＿１ｎ’を受信し、その受信したパケットＰＫＴ＿１ｎを切換部２４へ出力する。
【０１８０】
切換部２４は、無線通信部１１，１ｎから受けた複数のパケットＰＫＴ＿１１，ＰＫＴ１ｎ’を所定の順序に配列して集約し、その集約したパケットＰＫＴ＿１１，ＰＫＴ＿１ｎ’をアプリケーション部２１へ出力する。
【０１８１】
これによって、コグニティブ端末ＣＡＴ１は、他のネットワーク２００に存在する他の端末とコグニティブ基地局ＣＢＳ１およびコグニティブアクセスポイントＣＡＰ１を介して双方向の通信を行なう。
【０１８２】
上述した通信においては、図１１に示す情報保持部２２，４１，５１，６１は、同じコグニティブ情報ＣＧＩＦ３〜ＣＧＩＦ５を共有しており、選択部２３，４２，５２，６２は、情報保持部２２，４１，５１，６１によって共有されたコグニティブ情報ＣＧＩＦ３〜ＣＧＩＦ５に基づいて、パケットＰＫＴ＿１１，ＰＫＴ＿１ｎ’；ＰＫＴ＿１１＿Ｇ１，ＰＫＴ＿１ｎ＿Ｇ１’；ＰＫＴ＿１１＿Ｇ２，ＰＫＴ＿１ｎ＿Ｇ２；ＰＫＴ＿１１＿Ｇ３，ＰＫＴ＿１ｎ＿Ｇ３の分配および集約を行なう。即ち、選択部２３，４２，５２，６２は、連携してパケットＰＫＴ＿１１，ＰＫＴ＿１ｎ’；ＰＫＴ＿１１＿Ｇ１，ＰＫＴ＿１ｎ＿Ｇ１’；ＰＫＴ＿１１＿Ｇ２，ＰＫＴ＿１ｎ＿Ｇ２；ＰＫＴ＿１１＿Ｇ３，ＰＫＴ＿１ｎ＿Ｇ３の分配および集約を行なう。
【０１８３】
［第３の通信方法］
図１４は、通信ネットシステム１００における通信方法の第３の例を示す図である。図１５は、端末層と、基地局／アクセスポイント層との対応関係を示す他の図である。図１６は、端末層、基地局／アクセスポイント層およびゲートウェイ層の相互の対応関係を示す他の図である。図１７は、端末層、基地局／アクセスポイント層、ゲートウェイ層およびホームレジスタ層の相互の対応関係を示す更に他の図である。図１８は、端末層、基地局／アクセスポイント層、ゲートウェイ層およびホームレジスタ層の相互の対応関係を示す更に他の図である。
【０１８４】
通信ネットシステム１００における第３の通信方法は、コグニティブ端末ＣＡＴ１が、最初、コグニティブ基地局ＣＢＳ１を介して通信を行なっていた状態からコグニティブアクセスポイントＣＡＰ１を介して通信を行なう状態へ移動して他のネットワーク２００に含まれる端末と通信を行なう方法である。
【０１８５】
コグニティブ端末ＣＡＴ１がコグニティブ基地局ＣＢＳ１を介して通信を行なっている場合、情報保持部２２，４１，５１，６１は、それぞれ、テーブルＴＢ１，ＴＢ２，ＴＢ３，ＴＢ４を保持している。
【０１８６】
その後、コグニティブ端末ＣＡＴ１がコグニティブアクセスポイントＣＡＰ１を介して通信を行なう位置へ移動すると、コグニティブ端末ＣＡＴ１は、無線通信部１１〜１ｎのＩＰａｄｄｒｅｓｓ＿ＲＦ１／ＩＰａｄｄｒｅｓｓ＿ＣＡＴ１〜ＩＰａｄｄｒｅｓｓ＿ＲＦｎ／ＩＰａｄｄｒｅｓｓ＿ＣＡＴ１をコグニティブアクセスポイントＣＡＰ１へ送信する。そして、コグニティブ端末ＣＡＴ１の選択部２３は、情報保持部２２に保持されたテーブルＴＢ１をテーブルＴＢ５（図１５参照）に更新し、その更新したテーブルＴＢ５を情報保持部２２に格納する。
【０１８７】
また、コグニティブアクセスポイントＣＡＰ１のルーティング部４３は、コグニティブ端末ＣＡＴ１からＩＰａｄｄｒｅｓｓ＿ＲＦ１／ＩＰａｄｄｒｅｓｓ＿ＣＡＴ１〜ＩＰａｄｄｒｅｓｓ＿ＲＦｎ／ＩＰａｄｄｒｅｓｓ＿ＣＡＴ１を受信すると、その受信したＩＰａｄｄｒｅｓｓ＿ＲＦ１／ＩＰａｄｄｒｅｓｓ＿ＣＡＴ１〜ＩＰａｄｄｒｅｓｓ＿ＲＦｎ／ＩＰａｄｄｒｅｓｓ＿ＣＡＴ１に基づいて、情報保持部４１に保持されたテーブルＴＢ２をテーブルＴＢ６（図１６参照）に更新し、その更新したテーブルＴＢ６を情報保持部４１に格納する。そして、コグニティブアクセスポイントＣＡＰ１の切換部４４は、ルーティング部４３が更新したテーブルＴＢ６をケーブル１２０を介してコグニティブゲートウェイＣＧＷ１へ送信する。
【０１８８】
更に、コグニティブゲートウェイＣＧＷ１のルータ５４は、コグニティブアクセスポイントＣＡＰ１からテーブルＴＢ６を受信すると、その受信したテーブルＴＢ６をルーティング部５３へ出力する。そして、コグニティブゲートウェイＣＧＷ１のルーティング部５３は、テーブルＴＢ６に基づいて、情報保持部５１に保持されたテーブルＴＢ３をテーブルＴＢ７（図１７参照）に更新し、その更新したテーブルＴＢ７を情報保持部５１に格納する。そして、コグニティブゲートウェイＣＧＷ１のルータ５４は、ルーティング部５３が更新したテーブルＴＢ７をケーブル１３０を介してグローバルホームレジスタＧＨＲ１へ送信する。
【０１８９】
更に、グローバルホームレジスタＧＨＲ１のルータ６４は、コグニティブゲートウェイＣＧＷ１からテーブルＴＢ７を受信すると、その受信したテーブルＴＢ７をルーティング部６３へ出力する。そして、グローバルホームレジスタＧＨＲ１のルーティング部６３は、テーブルＴＢ７に基づいて、情報保持部６１に保持されたテーブルＴＢ４をテーブルＴＢ８（図１８参照）に更新し、その更新したテーブルＴＢ８を情報保持部５１に格納する。
【０１９０】
その後、コグニティブ端末ＣＡＴ１は、上述した第１の通信方法によってコグニティブアクセスポイントＣＡＰ１を介して無線通信部１１，１ｎを用いて他のネットワーク２００に存在する端末と通信を行なう。この場合、第１の通信方法の説明における“コグニティブ基地局ＣＢＳ１”を“コグニティブアクセスポイントＣＡＰ１”に読み替え、“ケーブル１１０”を“ケーブル１２０”に読み替えればよい。その他は、上述したとおりである。
【０１９１】
上述した第１から第３の通信方法のいずれかによって通信を行なうことにより、コグニティブ端末ＣＡＴ１，ＣＡＴ２は、自己の周囲の電波環境を認識し、その認識した電波環境に適した複数の回線を選択してアプリケーションの要求事項を満たすように他のネットワーク２００に存在する端末と通信を行なう。従って、この発明によれば、無線リソースを十分に利用してコグニティブ無線を行なうことができる。
【０１９２】
この発明においては、無線通信部１１〜１ｎ（または無線通信部３１〜３ｎ）は、相互に異なる無線通信方式を用いて１以上の周波数で無線通信を行なうので、無線通信部１１〜１ｎ（または無線通信部３１〜３ｎ）の少なくとも１つの無線通信部を用いて２以上の周波数によって無線通信を行なうことは、複数の無線通信方式のうちの少なくとも１つの無線通信方式を用いて２以上の回線によって無線通信を行なうことに相当する。
【０１９３】
また、ＩＰａｄｄｒｅｓｓ＿ＲＦ１／ＩＰａｄｄｒｅｓｓ＿ＣＢＳ１〜ＩＰａｄｄｒｅｓｓ＿ＲＦｎ／ＩＰａｄｄｒｅｓｓ＿ＣＢＳ１は、「ｉ（ｉは２以上の整数）個のローカルアドレス」を構成する。
【０１９４】
更に、ＩＰａｄｄｒｅｓｓ＿ＣＢＳ１＿ＧおよびＩＰａｄｄｒｅｓｓ＿ＣＡＰ１＿Ｇ（またはＩＰａｄｄｒｅｓｓ＿ＣＧＷ１およびＩＰａｄｄｒｅｓｓ＿ＣＧＷ２）は、「ｊ（ｊは正の整数）個の第１のグローバルアドレス」を構成する。
【０１９５】
更に、ＩＰａｄｄｒｅｓｓ＿ＣＧＷ１＿ＧおよびＩＰａｄｄｒｅｓｓ＿ＣＧＷ２＿Ｇ（またはＩＰａｄｄｒｅｓｓ＿ＧＨＲ１）は、「ｋ（ｋは正の整数）個の第２のグローバルアドレス」を構成し、ＩＰａｄｄｒｅｓｓ＿ＧＨＲ１＿Ｇは、「第３のグローバルアドレス」を構成する。
【０１９６】
更に、コグニティブ端末ＣＡＴ１，ＣＡＴ２は、「複数の無線装置」を構成し、コグニティブ基地局ＣＢＳ１およびコグニティブアクセスポイントＣＡＰ１は、「複数の第１の通信装置」を構成する。
【０１９７】
更に、コグニティブゲートウェイＣＧＷ１，ＣＧＷ２は、「複数の第２の通信装置」を構成し、グローバルホームレジスタＧＨＲ１は、「第３の通信装置」を構成する。
【０１９８】
更に、無線通信部１１〜１ｎは、「複数の第１の無線通信部」を構成し、情報保持部２２は、「第１の情報保持部」を構成し、選択部２３は、「第１の選択部」を構成し、切換部２４は、「第１の切換部」を構成する。
【０１９９】
更に、無線通信部３１〜３ｎは、「複数の第２の無線通信部」を構成し、情報保持部４１は、「第２の情報保持部」を構成し、選択部４３は、「第２の選択部」を構成し、切換部４４は、「第２の切換部」を構成する。
【０２００】
更に、情報保持部５１は、「第３の情報保持部」を構成し、選択部５３は、「第３の選択部」を構成し、ルータ５４は、「第３の切換部」を構成する。
【０２０１】
更に、情報保持部６１は、「第４の情報保持部」を構成し、選択部６３は、「第４の選択部」を構成し、ルータ６４は、「第４の切換部」を構成する。
【０２０２】
なお、上記においては、コグニティブ端末ＣＡＴ１は、２つの無線通信部１１，１ｎによって無線通信を行なうと説明したが、この発明においては、これに限らず、コグニティブ端末ＣＡＴ１は、無線通信部１１〜１ｎのうち、少なくとも１つの無線通信部を用いて２以上の回線により無線通信を行なえばよい。
【０２０３】
また、上記においては、コグニティブ端末ＣＡＴ１は、コグニティブ基地局ＣＢＳ１またはコグニティブアクセスポイントＣＡＰ１に直接アクセスして他のネットワーク２００に存在する端末と通信を行なうと説明したが、この発明においては、これに限らず、コグニティブ端末ＣＡＴ１は、コグニティブ端末ＣＡＴ２を介してコグニティブアクセスポイントＣＡＰ１にアクセスし、他のネットワーク２００に存在する端末と通信を行なうようにしてもよい。
【０２０４】
更に、上記においては、アプリケーションの要求事項として伝送速度を用いたが、この発明においては、これに限らず、アプリケーションの要求事項として無線通信の周波数帯域および通信の遅延時間等の伝送速度以外の要素を用いてもよい。アプリケーションの要求事項として周波数帯域を用いる場合、アプリケーションは、広帯域でパケットを送信することを要求し、または狭帯域でパケットを送信することを要求する。
【０２０５】
更に、上記においては、ＩＰドメイン１，２の各々は、１個のコグニティブ基地局ＣＢＳ１または１個のコグニティブアクセスポイントＣＡＰ１を含むと説明したが、この発明においては、これに限らず、ＩＰドメイン１，２の各々は、複数のコグニティブ基地局ＣＢＳ１および／または複数のコグニティブアクセスポイントＣＡＰ１を含んでいてもよい。そして、複数のコグニティブ基地局ＣＢＳ１および／または複数のコグニティブアクセスポイントＣＡＰ１は、少なくとも２以上のＩＰドメインに配置されていればよい。
【０２０６】
更に、コグニティブ情報は、電波環境、周波数帯域および伝送速度の要素に限らず、これら以外の要素も加えてコグニティブ情報を構成するようにしてもよい。
【０２０７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２０８】
この発明には、コグニティブ無線を実現可能な通信ネットワークシステムに適用される。また、この発明は、無線リソースを十分に利用してコグニティブ無線による通信を行なう通信ネットワークシステムに適用される。
【図面の簡単な説明】
【０２０９】
【図１】この発明の実施の形態による通信ネットワークシステムの概略図である。
【図２】コグニティブ情報を示す図である。
【図３】端末層と、基地局／アクセスポイント層との対応関係を示す図である。
【図４】端末層、基地局／アクセスポイント層およびゲートウェイ層の相互の対応関係を示す図である。
【図５】端末層、基地局／アクセスポイント層、ゲートウェイ層およびホームレジスタ層の相互の対応関係を示す図である。
【図６】端末層、基地局／アクセスポイント層、ゲートウェイ層およびホームレジスタ層の相互の対応関係を示す他の図である。
【図７】パケットの分配および集約の方法を示す図である。
【図８】通信ネットワークシステムにおける通信方法の第１の例を示す図である。
【図９】図８に示す情報保持部が保持するコグニティブ情報を示す図である。
【図１０】パケットの例を示す図である。
【図１１】通信ネットワークシステムにおける通信方法の第２の例を示す図である。
【図１２】図１１に示す情報保持部が保持するコグニティブ情報を示す図である。
【図１３】パケットの例を示す他の図である。
【図１４】通信ネットワークシステムにおける通信方法の第３の例を示す図である。
【図１５】端末層と、基地局／アクセスポイント層との対応関係を示す他の図である。
【図１６】端末層、基地局／アクセスポイント層およびゲートウェイ層の相互の対応関係を示す他の図である。
【図１７】端末層、基地局／アクセスポイント層、ゲートウェイ層およびホームレジスタ層の相互の対応関係を示す更に他の図である。
【図１８】端末層、基地局／アクセスポイント層、ゲートウェイ層およびホームレジスタ層の相互の対応関係を示す更に他の図である。
【符号の説明】
【０２１０】
１１〜１ｎ，３１〜３ｎ  無線通信部、２１  アプリケーション部、２２，４１，５１，６１  情報保持部、２３，４２，５２，６２  選択部、２４，４４  切換部、５４，６４  ルータ、１００  通信ネットワークシステム、１１０，１２０，１３０，１４０，１５０  ケーブル、２００  他のネットワーク、ＣＡＴ１，ＣＡＴ２  コグニティブ端末、ＣＢＳ１  コグニティブ基地局、ＣＡＰ１  コグニティブアクセスポイント、ＣＧＷ１，ＣＧＷ２  コグニティブゲートウェイ、ＧＨＲ１  グローバルホームレジスタ、ＣＧＩＦ，ＣＧＩＦ１〜ＣＧＩＦ５  コグニティブ情報、ＴＢ１〜ＴＢ８  テーブル。
【図１】
0004761305.tif 000002
【図２】
0004761305.tif 000003
【図３】
0004761305.tif 000004
【図４】
0004761305.tif 000005
【図５】
0004761305.tif 000006
【図６】
0004761305.tif 000007
【図７】
0004761305.tif 000008
【図８】
0004761305.tif 000009
【図９】
0004761305.tif 000010
【図１０】
0004761305.tif 000011
【図１１】
0004761305.tif 000012
【図１２】
0004761305.tif 000013
【図１３】
0004761305.tif 000014
【図１４】
0004761305.tif 000015
【図１５】
0004761305.tif 000016
【図１６】
0004761305.tif 000017
【図１７】
0004761305.tif 000018
【図１８】
0004761305.tif 000019